(57)【特許請求の範囲】
【請求項１】
冷凍サイクル（２５）の冷媒を吸入して吐出する圧縮機（２６）と、
前記冷凍サイクル（２５）の高圧側冷媒の熱を利用して、車室内へ送風される空気を加熱する空気加熱手段（５１、５２、１１０）と、
前記冷凍サイクル（２５）の低圧側冷媒と熱媒体とを熱交換させて前記熱媒体を冷却するチラー（２１）と、
前記チラー（２１）で冷却された前記熱媒体と前記空気とを熱交換させて前記空気を冷却するクーラコア（２２）と、
前記チラー（２１）および前記クーラコア（２２）に前記熱媒体を循環させるクーラ冷却回路（１１）と、
前記クーラ冷却回路（１１）の前記熱媒体を吸入して吐出するクーラポンプ（２０）と、
エンジン（３１）に前記熱媒体を循環させるエンジン冷却回路（１２）と、
前記エンジン冷却回路（１２）の前記熱媒体を吸入して吐出するエンジンポンプ（３０）と、
前記エンジン冷却回路（１２）の前記熱媒体と外気とを熱交換させるエンジンラジエータ（３２）と、
前記クーラ冷却回路（１１）および前記エンジン冷却回路（１２）に前記熱媒体が互いに独立して循環する独立モードと、前記チラー（２１）と前記エンジンラジエータ（３２）との間で前記熱媒体が流れるように前記クーラ冷却回路（１１）と前記エンジン冷却回路（１２）とが連通する連通モードとを切り替える切替手段（４３、１２０）と、
前記エンジン冷却回路（１２）の前記熱媒体の温度が第１熱媒体温度未満の場合、前記連通モードに切り替わるように前記切替手段（４３、１２０）の作動を制御する制御手段（８０ｂ）とを備えることを特徴とする車両用熱管理システム。
【請求項２】
前記制御手段（８０ｂ）は、前記空気加熱手段（５１、５２、１１０）への前記空気の送風量が少ない場合、前記空気加熱手段（５１、５２、１１０）への前記空気の送風が停止されている場合、または前記空気加熱手段（５１、５２、１１０）が前記高圧側冷媒の熱を利用しない場合においては、前記エンジン冷却回路（１２）の前記熱媒体の温度が前記第１熱媒体温度未満の場合であっても前記独立モードになるように前記切替手段（４３、１２０）の作動を制御することを特徴とする請求項１に記載の車両用熱管理システム。
【請求項３】
前記切替手段（４３、１２０）は、前記連通モードにおいて、前記チラー（２１）と前記クーラコア（２２）との間でも前記熱媒体が流れるように前記クーラ冷却回路（１１）と前記エンジン冷却回路（１２）とが連通するクーラコア連通モードを実施可能であることを特徴とする請求項１または２に記載の車両用熱管理システム。
【請求項４】
前記制御手段（８０ｂ）は、前記連通モード時に前記車室内を除湿暖房する場合において、前記クーラコア（２２）からの吹出空気の温度とクーラコア吹出目標温度（ＴＣＯ）との温度差が所定値未満かつ前記空気加熱手段（５１、５２、１１０）からの吹出空気の温度が加熱目標温度（ＴＡＯ）よりも所定温度以上低い場合、または暖房性能が所定性能を満たしていない場合、前記クーラコア連通モードになるように前記切替手段（４３、１２０）の作動を制御することを特徴とする請求項３に記載の車両用熱管理システム。
【請求項５】
前記エンジンラジエータ（３２）における前記熱媒体の流量を調整するエンジンラジエータ流量調整手段（４３、１０７、１２０）と、
前記冷凍サイクル（２５）を流れる冷媒の流量を調整する冷媒流量調整手段（２６、２８、１１４）とを備え、
前記制御手段（８０ｂ、８０ｃ）は、前記クーラコア連通モード時において、前記クーラコア（２２）からの吹出空気の温度に関連する温度が前記第１吹出目標温度（ＴＣＯ）に近づき、かつ前記空気加熱手段（５１、５２、１１０）からの吹出空気の温度に関連する温度が第２目標吹出温度（ＴＡＯ）に近づくように、前記エンジンラジエータ流量調整手段（４３、１０７、１２０）または前記冷媒流量調整手段（２６、２８、１１４）の作動を制御することを特徴とする請求項４に記載の車両用熱管理システム。
【請求項６】
前記切替手段（４３、１２０）は、前記クーラコア（２２）と前記エンジンラジエータ（３２）との間で前記熱媒体が流れるように前記クーラ冷却回路（１１）と前記エンジン冷却回路（１２）とを連通させることが可能になっていることを特徴とする請求項１または２に記載の車両用熱管理システム。
【請求項７】
前記制御手段（８０ｂ）は、前記連通モード時に前記エンジン冷却回路（１２）の前記熱媒体の温度が第２熱媒体温度を上回ると、前記独立モードに切り替わるように前記切替手段（４３、１２０）の作動を制御することを特徴とする請求項１ないし６のいずれか１つに記載の車両用熱管理システム。
【請求項８】
前記独立モードおよび前記連通モードのいずれにおいても前記クーラ冷却回路（１１）と前記エンジン冷却回路（１２）とを連通させる連通流路（４０）と、
前記エンジン冷却回路（１２）または前記クーラ冷却回路（１１）に配置され、前記熱媒体を貯留するリザーブタンク（３９）とを備えることを特徴とする請求項１ないし７のいずれか１つに記載の車両用熱管理システム。
【請求項９】
前記連通流路（４０）は、前記クーラ冷却回路（１１）のうち前記クーラポンプ（２０）の熱媒体吐出側かつ前記クーラコア（２２）の熱媒体入口側の部位と、前記エンジン冷却回路（１２）のうち前記エンジンポンプ（３０）の熱媒体吐出側かつ前記エンジンラジエータ（３２）の熱媒体入口側の部位とを連通させていることを特徴とする請求項８に記載の車両用熱管理システム。
【請求項１０】
前記クーラ冷却回路（１１）と前記エンジン冷却回路（１２）とを連通させるエンジンラジエータ流路（４１）を備え、
前記切替手段（４３）は、前記エンジン冷却回路（１２）の前記熱媒体が前記エンジンラジエータ流路（４１）を流れる状態と流れない状態とを切り替えることよって、前記独立モードと前記連通モードとを切り替えることを特徴とする請求項８または９に記載の車両用熱管理システム。
【請求項１１】
前記制御手段（８０ｂ、８０ｃ）は、前記エンジン冷却回路（１２）の前記熱媒体の温度が第３熱媒体温度未満であり且つ前記外気の温度が第１外気温度未満である場合、前記クーラコア（２２）と前記エンジンラジエータ（３２）との間で前記熱媒体が流れるように前記切替手段（４３、１２０）の作動を制御するとともに前記圧縮機（２６）を停止させることを特徴とする請求項３ないし６のいずれか１つに記載の車両用熱管理システム。
【請求項１２】
前記エンジン冷却回路（１２）の前記熱媒体が前記エンジンラジエータ（３２）をバイパスして流れるラジエータバイパス流路（３５）と、
前記ラジエータバイパス流路（３５）と前記切替手段（４３、１２０）とを繋ぐエンジン吸熱流路（４２）とを備え、
前記切替手段（４３）は、前記エンジン冷却回路（１２）の前記熱媒体が前記ラジエータバイパス流路（３５）を流れる状態と流れない状態とを切り替えることを特徴とする請求項１ないし１１のいずれか１つに記載の車両用熱管理システム。
【請求項１３】
前記制御手段（８０ｂ）は、前記外気の温度が第２外気温度未満である場合、前記エンジン冷却回路（１２）の前記熱媒体が前記ラジエータバイパス流路（３５）を流れる状態に切り替わるように前記切替手段（４３、１２０）の作動を制御することを特徴とする請求項１２に記載の車両用熱管理システム。
【請求項１４】
前記連通モード時に前記圧縮機（２６）の冷媒吐出量が所定量以上もしくは前記圧縮機（２６）の回転数が所定値以上であり、且つ前記車室内へ吹き出される前記空気の温度が所定空気温度未満である場合、または前記連通モード時に前記エンジンラジエータ（３２）もしくは前記チラー（２１）を流れる前記熱媒体の温度が第４熱媒体温度未満である場合において、前記エンジン冷却回路（１２）の前記熱媒体の温度が第５熱媒体温度未満である場合、
前記エンジン（３１）の作動を制御するエンジン制御手段（９９）に、前記エンジン（３１）の排熱量を増加させる要求、前記エンジン（３１）の稼働率を増加させる要求、前記エンジン冷却回路（１２）の前記熱媒体の温度を上昇させる要求、または前記エンジン（３１）の効率を下げる要求を出力する要求出力手段（８０ｆ）を備えることを特徴とする請求項１ないし１３のいずれか１つに記載の車両用熱管理システム。
【請求項１５】
前記空気加熱手段（５１、５２）は、
前記高圧側冷媒からヒータ側熱媒体へ放熱させて前記ヒータ側熱媒体を加熱するコンデンサ（５２）と、
前記ヒータ側熱媒体と前記空気とを熱交換させて前記空気を加熱するヒータコア（５１）とを有しており、
さらに、前記コンデンサ（５２）および前記ヒータコア（５１）に前記ヒータ側熱媒体を循環させるコンデンサ回路（１３）と、
前記コンデンサ回路（１３）の前記ヒータ側熱媒体を吸入して吐出するヒータポンプ（５０）と、
前記エンジン冷却回路（１２）の前記熱媒体の熱を前記ヒータ側熱媒体に流入させて前記ヒータ側熱媒体を加熱する熱流入手段（３８）と、
前記コンデンサ（５２）で加熱された前記ヒータ側熱媒体および前記熱流入手段（３８）で加熱された前記ヒータ側熱媒体のいずれかを選択的に前記ヒータコア（５１）に流入させるヒータ側切替手段（６７）とを備え、
前記制御手段（８０ｂ）は、
前記連通モードである場合、前記コンデンサ（５２）で加熱された前記ヒータ側熱媒体が前記ヒータコア（５１）に流入するように前記ヒータ側切替手段（６７）の作動を制御し、
前記連通モード時に前記エンジン冷却回路（１２）の前記熱媒体の温度が第５熱媒体温度以上になった場合、前記熱流入手段（３８）で加熱された前記ヒータ側熱媒体が前記ヒータコア（５１）に流入するように前記ヒータ側切替手段（６７）の作動を制御することを特徴とする請求項１ないし１４のいずれか１つに記載の車両用熱管理システム。
【請求項１６】
前記熱流入手段（３８）は、前記エンジン冷却回路（１２）の前記熱媒体と前記ヒータ側熱媒体とを熱交換させる熱媒体熱媒体熱交換器（３８）であることを特徴とする請求項１５に記載の車両用熱管理システム。
【請求項１７】
前記ヒータ側熱媒体と前記外気とを熱交換させるヒータ側ラジエータ（６１）と、
前記ヒータ側ラジエータ（６１）に前記ヒータ側熱媒体を循環させるラジエータ回路（１４）と、
前記ラジエータ回路（１４）の前記ヒータ側熱媒体を吸入して吐出するラジエータポンプ（６０）とを備え、
前記ヒータ側切替手段（６７）は、前記コンデンサ回路（１３）および前記ラジエータ回路（１４）に前記ヒータ側熱媒体が互いに独立して循環する状態と、前記コンデンサ（５２）と前記ヒータ側ラジエータ（６１）との間で前記ヒータ側熱媒体が流れるように前記コンデンサ回路（１３）と前記ラジエータ回路（１４）とが連通する状態とを切り替えることを特徴とする請求項１６に記載の車両用熱管理システム。
【請求項１８】
前記空気加熱手段は、前記高圧側冷媒と前記空気とを熱交換させて前記空気を加熱する室内コンデンサ（１１０）を有していることを特徴とする請求項１ないし１４のいずれか１つに記載の車両用熱管理システム。
【請求項１９】
前記高圧側冷媒と前記外気とを熱交換させる室外コンデンサ（１１１）と、
前記室内コンデンサ（１１０）を流れる前記高圧側冷媒と前記室外コンデンサ（１１１）を流れる前記高圧側冷媒との流量割合を調整する冷媒流量割合調整手段（１１３）とを備えることを特徴とする請求項１４に記載の車両用熱管理システム。
【請求項２０】
前記エンジン冷却回路（１２）の前記熱媒体が前記エンジンラジエータ（３２）をバイパスして流れるラジエータバイパス流路（３５）を備え、
前記切替手段（１２０）は、前記クーラコア（２２）の熱媒体出口側と、前記チラー（２１）の熱媒体入口側と、前記エンジンラジエータ（３２）の熱媒体出口側と、前記エンジン（３１）の熱媒体入口側と、前記ラジエータバイパス流路（３５）の熱媒体出口側との間で前記熱媒体の流れを切り替えることを特徴とする請求項１ないし１９のいずれか１つに記載の車両用熱管理システム。
【発明の詳細な説明】
【技術分野】
【０００１】
本発明は、車両に用いられる熱管理システムに関する。
【背景技術】
【０００２】
従来、特許文献１には、冷凍サイクルの低圧側冷媒が持つ冷熱を利用して車室内を冷房するとともに、エンジン冷却水（温水）が持つ温熱を利用して車室内を暖房する車両用熱管理システムが記載されている。
【０００３】
この従来技術では、エンジン冷却水が循環するエンジン冷却回路に、エンジン用ラジエータが配置されている。エンジン用ラジエータは、エンジン冷却水と外気とを熱交換させてエンジン冷却水から外気に放熱させる放熱用熱交換器である。
【０００４】
この従来技術では、冷凍サイクルの低圧側冷媒で冷却された冷却水が循環する低温側冷却水回路を有している。低温側冷却水回路にはクーラコアが配置されている。クーラコアは、冷凍サイクルの低圧側冷媒で冷却された冷却水と車室内へ送風される空気とを熱交換させて車室内へ送風される空気を冷却する空気冷却用熱交換器である。
【０００５】
この従来技術では、エンジンの停止時やエンジンの暖機時等、エンジン冷却水の温度が低い場合、エンジン冷却水を利用した暖房を行うことができない。
【０００６】
そこで、この従来技術では、冷凍サイクルのヒートポンプ運転によって、外気から熱を汲み上げて車室内の暖房に利用することも可能になっている。具体的には、吸熱用熱交換器および空気加熱手段を備えている。
【０００７】
吸熱用熱交換器は、低温側冷却水回路の冷却水と外気とを熱交換させて外気から冷却水に吸熱させる熱交換器である。空気加熱手段は、冷凍サイクルの高圧側冷媒が持つ温熱を利用して車室内へ送風される空気を加熱する手段である。
【先行技術文献】
【特許文献】
【０００８】
【特許文献１】特開２０１４−１８１５９４号公報
【発明の概要】
【発明が解決しようとする課題】
【０００９】
上記従来技術では、外気と熱交換する熱交換器として、エンジン用ラジエータおよび吸熱用熱交換器を備えている。しかしながら、上記従来技術では、エンジン冷却水の温度が低いために外気から吸熱することによって車室内を暖房する場合、吸熱用熱交換器は使用されるがエンジン用ラジエータは使用されず無駄となる。
【００１０】
また、外気と熱交換する熱交換器として、エンジン用ラジエータのみならず吸熱用熱交換器も車両に搭載する必要があるので、車両搭載スペースの制約によっては、吸熱用熱交換器の体格を小さく抑える必要が生じる。その場合、吸熱用熱交換器の熱交換性能が抑えられてしまうので、車室内の暖房性能も抑えられてしまう。
【００１１】
本発明は上記点に鑑みて、エンジン用ラジエータを有効に活用して、車室内の暖房性能を向上させることを目的とする。
【課題を解決するための手段】
【００１２】
上記目的を達成するため、請求項１に記載の発明では、
冷凍サイクル（２５）の冷媒を吸入して吐出する圧縮機（２６）と、
冷凍サイクル（２５）の高圧側冷媒の熱を利用して、車室内へ送風される空気を加熱する空気加熱手段（５１、５２、１１０）と、
冷凍サイクル（２５）の低圧側冷媒と熱媒体とを熱交換させて熱媒体を冷却するチラー（２１）と、
チラー（２１）で冷却された熱媒体と空気とを熱交換させて空気を冷却するクーラコア（２２）と、
チラー（２１）およびクーラコア（２２）に熱媒体を循環させるクーラ冷却回路（１１）と、
クーラ冷却回路（１１）の熱媒体を吸入して吐出するクーラポンプ（２０）と、
エンジン（３１）に熱媒体を循環させるエンジン冷却回路（１２）と、
エンジン冷却回路（１２）の熱媒体を吸入して吐出するエンジンポンプ（３０）と、
エンジン冷却回路（１２）の熱媒体と外気とを熱交換させるエンジンラジエータ（３２）と、
クーラ冷却回路（１１）およびエンジン冷却回路（１２）に熱媒体が互いに独立して循環する独立モードと、チラー（２１）とエンジンラジエータ（３２）との間で熱媒体が流れるようにクーラ冷却回路（１１）とエンジン冷却回路（１２）とが連通する連通モードとを切り替える切替手段（４３、１２０）と、
エンジン冷却回路（１２）の熱媒体の温度が第１熱媒体温度未満の場合、連通モードに切り替わるように切替手段（４３、１２０）の作動を制御する制御手段（８０ｂ）とを備えることを特徴とする。
【００１３】
これによると、エンジン冷却回路（１２）の熱媒体の温度が低い場合、連通モードに切り替えることによって、チラー（２１）で冷却された熱媒体をエンジン冷却回路（１２）のエンジンラジエータ（３２）へ流すので、エンジンラジエータ（３２）で外気から吸熱して車室内を暖房できる。そのため、エンジンラジエータ（３２）を有効に活用して、車室内の暖房性能を向上できる。
【００１４】
なお、この欄および特許請求の範囲で記載した各手段の括弧内の符号は、後述する実施形態に記載の具体的手段との対応関係を示すものである。
【図面の簡単な説明】
【００１５】
【図１】第１実施形態における車両用熱管理システムの全体構成図である。
【図２】第１実施形態における車両用熱管理システムの電気制御部を示すブロック図である。
【図３】第１実施形態の車両用熱管理システムにおいて冷房モードおよび除湿暖房モードの冷却水流れ状態を示す図である。
【図４】第１実施形態の車両用熱管理システムにおいて外気吸熱式ヒートポンプ暖房モードの冷却水流れ状態を示す図である。
【図５】第１実施形態の車両用熱管理システムにおいて外気吸熱式ヒートポンプ暖房モード（エンジン排熱アシスト）および外気利用除湿モードの冷却水流れ状態を示す図である。
【図６】第１実施形態の車両用熱管理システムにおいてエンジン吸熱式ヒートポンプ暖房モードの冷却水流れ状態を示す図である。
【図７】第１実施形態の車両用熱管理システムにおいてヒートポンプリヒート除湿モードの冷却水流れ状態を示す図である。
【図８】第１実施形態におけるクーラ側バルブのバルブポジションを示す図表である。
【図９】第１実施形態におけるヒータ側バルブのバルブポジションを示す図表である。
【図１０】第２実施形態における車両用熱管理システムの全体構成図である。
【図１１】第２実施形態の車両用熱管理システムにおいて冷房モードおよび除湿暖房モードの冷却水流れ状態を示す図である。
【図１２】第２実施形態の車両用熱管理システムにおいて外気吸熱式ヒートポンプ暖房モードの冷却水流れ状態を示す図である。
【図１３】第２実施形態の車両用熱管理システムにおいて外気吸熱式ヒートポンプ暖房モード（エンジン排熱アシスト）の冷却水流れ状態を示す図である。
【図１４】第２実施形態の車両用熱管理システムにおいてエンジン吸熱式ヒートポンプ暖房モードの冷却水流れ状態を示す図である。
【図１５】第３実施形態における車両用熱管理システムの全体構成図である。
【図１６】第４実施形態における車両用熱管理システムの全体構成図である。
【図１７】第５実施形態における車両用熱管理システムの全体構成図である。
【発明を実施するための形態】
【００１６】
以下、実施形態について図に基づいて説明する。なお、以下の各実施形態相互において、互いに同一もしくは均等である部分には、図中、同一符号を付してある。
【００１７】
（第１実施形態）
図１に示す車両用熱管理システム１０は、車両が備える各種機器や車室内を適切な温度に調整するために用いられる。本実施形態では、車両用熱管理システム１０を、エンジン（内燃機関）および走行用電動モータから車両走行用の駆動力を得るハイブリッド自動車に適用している。
【００１８】
本実施形態のハイブリッド自動車は、車両停車時に外部電源（商用電源）から供給された電力を、車両に搭載された電池（車載バッテリ）に充電可能なプラグインハイブリッド自動車として構成されている。電池としては、例えばリチウムイオン電池を用いることができる。
【００１９】
エンジンから出力される駆動力は、車両走行用として用いられるのみならず、発電機を作動させるためにも用いられる。そして、発電機にて発電された電力および外部電源から供給された電力を電池に蓄わえることができ、電池に蓄えられた電力は、走行用電動モータのみならず、車両用熱管理システム１０を構成する電動式構成機器をはじめとする各種車載機器に供給される。
【００２０】
車両用熱管理システム１０は、クーラ冷却回路１１、エンジン冷却回路１２、コンデンサ回路１３およびラジエータ回路１４を備えている。クーラ冷却回路１１およびエンジン冷却回路１２は、冷却水（熱媒体）が循環する冷却水回路である。コンデンサ回路１３およびラジエータ回路１４は、クーラ冷却回路１１およびエンジン冷却回路１２とは独立に冷却水（ヒータ側熱媒体）が循環する冷却水回路である。
【００２１】
冷却水は、熱媒体としての流体である。本実施形態では、冷却水として、少なくともエチレングリコール、ジメチルポリシロキサンもしくはナノ流体を含む液体、または不凍液体が用いられている。
【００２２】
クーラ冷却回路１１には、クーラポンプ２０、チラー２１およびクーラコア２２が、この順番で冷却水が循環するように配置されている。クーラポンプ２０は、冷却水を吸入して吐出する電動ポンプである。
【００２３】
チラー２１は、冷凍サイクル２５の低圧側冷媒と冷却水とを熱交換させることによって冷却水を冷却する低圧側熱交換器（熱媒体冷却用熱交換器）である。チラー２１では冷却水を外気の温度よりも低温まで冷却することができる。
【００２４】
クーラコア２２は、冷却水と車室内へ送風される空気とを熱交換させて車室内への送風空気を冷却する空気冷却用熱交換器（熱媒体空気熱交換器）である。クーラコア２２では、冷却水が顕熱変化にて空気から吸熱する。すなわち、クーラコア２２では、冷却水が空気から吸熱しても冷却水が液相のままで相変化しない。
【００２５】
エンジン冷却回路１２には、エンジンポンプ３０、エンジン３１およびエンジンラジエータ３２が、この順番で冷却水が循環するように配置されている。エンジンポンプ３０は、冷却水を吸入して吐出する電動ポンプである。エンジンポンプ３０は、エンジン３１の駆動力をベルトを介して動力伝達することによって駆動されるベルト駆動式ポンプであってもよい。
【００２６】
エンジンラジエータ３２は、冷却水と車室外空気（以下、外気と言う。）とを熱交換させる冷却水外気熱交換器（熱媒体外気熱交換器）である。室外送風機３３は、エンジンラジエータ３２へ外気を送風する外気送風手段である。
【００２７】
エンジン冷却回路１２は、循環流路３４、ラジエータバイパス流路３５および熱交換器用流路３６を有している。循環流路３４は、エンジンポンプ３０、エンジン３１およびエンジンラジエータ３２が、この順番で冷却水が循環するように配置された冷却水流路である。
【００２８】
ラジエータバイパス流路３５は、冷却水がエンジンラジエータ３２をバイパスして流れるように循環流路３４に接続された冷却水流路であり、冷却水流れにおいてエンジンラジエータ３２と並列に配置されている。
【００２９】
循環流路３４とラジエータバイパス流路３５との接続部には、サーモスタット３７が配置されている。サーモスタット３７は、温度によって体積変化するサーモワックス（感温部材）によって弁体を変位させて冷却水流路を開閉する機械的機構で構成される冷却水温度応動弁である。
【００３０】
具体的には、サーモスタット３７は、冷却水の温度が所定温度（例えば７０℃）を下回っている場合、ラジエータバイパス流路３５を開けてエンジンラジエータ３２側の流路を閉じる。
【００３１】
サーモスタット３７は、冷却水の温度が所定温度（例えば７０℃）を上回っている場合、ラジエータバイパス流路３５を閉じてエンジンラジエータ３２側の流路を開ける。
【００３２】
熱交換器用流路３６は、水水熱交換器３８が配置された冷却水流路であり、冷却水流れにおいてエンジンラジエータ３２およびラジエータバイパス流路３５と並列に配置されている。
【００３３】
水水熱交換器３８は、エンジン冷却回路１２の冷却水とコンデンサ回路１３の冷却水とを熱交換させる熱交換器（熱媒体熱媒体熱交換器）である。
【００３４】
エンジンラジエータ３２には、第１リザーブタンク３９が接続されている。第１リザーブタンク３９は、余剰冷却水を貯留する冷却水貯留手段である。
【００３５】
連通流路４０、エンジンラジエータ流路４１およびエンジン吸熱流路４２は、クーラ冷却回路１１とエンジン冷却回路１２とを連通する冷却水流路である。
【００３６】
連通流路４０は、クーラ冷却回路１１のうちチラー２１の冷却水出口側かつクーラコア２２の冷却水入口側の部位と、エンジン冷却回路１２のうちエンジン３１の冷却水出口側かつエンジンラジエータ３２の冷却水入口側の部位とを繋いでいる。
【００３７】
エンジンラジエータ流路４１は、クーラ冷却回路１１のうちクーラコア２２の冷却水出口側かつクーラポンプ２０の冷却水吸入側の部位と、エンジン冷却回路１２のうちエンジンラジエータ３２の冷却水出口側かつエンジンポンプ３０の冷却水吸入側の部位とを繋いでいる。
【００３８】
エンジン吸熱流路４２は、クーラ冷却回路１１のうちクーラコア２２の冷却水出口側かつクーラポンプ２０の冷却水吸入側の部位と、エンジン冷却回路１２のラジエータバイパス流路３５とを繋いでいる。
【００３９】
クーラ側バルブ４３は、クーラ冷却回路１１の冷却水流路とエンジンラジエータ流路４１とエンジン吸熱流路４２との接続部に配置されている。クーラ側バルブ４３は、４つのポート（第１〜第４ポート）を有する四方弁である。
【００４０】
クーラ側バルブ４３の第１ポートは、クーラコア２２の冷却水出口側の流路に接続されている。クーラ側バルブ４３の第２ポートは、クーラポンプ２０の冷却水吸入側の流路に接続されている。換言すれば、クーラ側バルブ４３の第２ポートは、チラー２１の冷却水入口側の流路に接続されている。
【００４１】
クーラ側バルブ４３の第３ポートは、エンジンラジエータ流路４１に接続されている。クーラ側バルブ４３の第４ポートは、エンジン吸熱流路４２に接続されている。
【００４２】
クーラ側バルブ４３は、第１〜第４ポート同士の接続状態を切り替える弁体を有している。クーラ側バルブ４３は、弁体の切り替え作動によって冷却水の流れを切り替える冷却水流れ切替部（切替手段）である。
【００４３】
コンデンサ回路１３は、ヒータポンプ５０、ヒータコア５１およびコンデンサ５２を有している。ヒータポンプ５０は、冷却水を吸入して吐出する電動ポンプである。
【００４４】
ヒータコア５１は、冷却水と車室内へ送風される空気とを熱交換させて車室内への送風空気を加熱する空気加熱用熱交換器（熱媒体空気熱交換器）である。ヒータコア５１では、冷却水が顕熱変化にて空気に放熱する。すなわち、ヒータコア５１では、冷却水が空気に放熱しても冷却水が液相のままで相変化しない。
【００４５】
コンデンサ５２は、冷凍サイクル２５の高圧側冷媒と冷却水とを熱交換させることによって冷却水を加熱する高圧側熱交換器（熱媒体加熱用熱交換器）である。
【００４６】
ヒータコア５１およびコンデンサ５２は、冷凍サイクル２５の高圧側冷媒の熱を利用して、車室内へ送風される空気を加熱する空気加熱手段である。
【００４７】
冷凍サイクル２５は、圧縮機２６、コンデンサ５２、レシーバ２７、膨張弁２８およびチラー２１を備える蒸気圧縮式冷凍機である。本実施形態の冷凍サイクル２５では、冷媒としてフロン系冷媒を用いており、高圧側冷媒圧力が冷媒の臨界圧力を超えない亜臨界冷凍サイクルを構成している。
【００４８】
圧縮機２６は、電池から供給される電力によって駆動される電動圧縮機、またはエンジンの駆動力によってエンジンベルトで駆動される可変容量圧縮機であり、冷凍サイクル２５の冷媒を吸入して圧縮して吐出する。
【００４９】
コンデンサ５２は、圧縮機２６から吐出された高圧側冷媒と冷却水とを熱交換させることによって高圧側冷媒を凝縮させる凝縮器である。レシーバ２７は、コンデンサ５２から流出した気液２相冷媒を気相冷媒と液相冷媒とに分離して、分離された液相冷媒を膨張弁２３側に流出させる気液分離器である。
【００５０】
膨張弁２８は、レシーバ２７から流出した液相冷媒を減圧膨張させる減圧部（減圧手段）である。膨張弁２８は、チラー２１出口側冷媒の温度および圧力に基づいてチラー２１出口側冷媒の過熱度を検出する感温部を有する温度式膨張弁である。すなわち、膨張弁２８は、チラー２１出口側冷媒の過熱度が予め定めた所定範囲となるように機械的機構によって絞り通路面積を調節する温度式膨張弁である。膨張弁２８は、電気的機構によって絞り通路面積を調節する電気式膨張弁であってもよい。
【００５１】
チラー２１は、膨張弁２８で減圧膨張された低圧冷媒と冷却水とを熱交換させることによって低圧冷媒を蒸発させる蒸発器である。チラー２１で蒸発した気相冷媒は圧縮機２６に吸入されて圧縮される。
【００５２】
圧縮機２６および膨張弁２８は、冷凍サイクル２５を流れる冷媒の流量を調整する冷媒流量調整部（冷媒流量調整手段）である。
【００５３】
コンデンサ回路１３は、循環流路５３および水水熱交換器流路５４を有している。循環流路５３は、ヒータポンプ５０、ヒータコア５１およびコンデンサ５２が、この順番で冷却水が循環するように配置された冷却水流路である。
【００５４】
水水熱交換器流路５４は、水水熱交換器３８が配置された冷却水流路であり、冷却水流れにおいてコンデンサ５２と並列に配置されている。水水熱交換器流路５４は、循環流路５３のうち、ヒータコア５１の冷却水出口側かつコンデンサ５２の冷却水入口側の部位と、コンデンサ５２の冷却水出口側かつヒータポンプ５０の冷却水吸入側の部位とに接続されている。
【００５５】
ラジエータ回路１４には、ラジエータポンプ６０、ヒータ側ラジエータ６１および冷却水流通機器６２が、この順番で冷却水が循環するように配置されている。ラジエータポンプ６０は、冷却水を吸入して吐出する電動ポンプである。
【００５６】
ヒータ側ラジエータ６１は、冷却水と外気とを熱交換させる冷却水外気熱交換器（熱媒体外気熱交換器）である。ヒータ側ラジエータ６１には、室外送風機３３によって外気が送風される。
【００５７】
図示を省略しているが、ヒータ側ラジエータ６１は、エンジンラジエータ３２とともに車両の最前部に配置されている。ヒータ側ラジエータ６１は、エンジンラジエータ３２よりも外気流れ方向上流側に配置されている。車両の走行時にはヒータ側ラジエータ６１およびエンジンラジエータ３２に走行風を当てることができるようになっている。
【００５８】
冷却水流通機器６２は、その内部に冷却水が流通することによって冷却される機器である。冷却水流通機器６２としては、例えば走行用モータ、インバータ、オイルクーラ、ターボチャージャおよびインタークーラ等が挙げられる。
【００５９】
インバータは、バッテリから供給された直流電力を交流電力に変換して走行用モータに出力する電力変換手段である。
【００６０】
オイルクーラは、エンジンオイル（エンジン３１に使用される潤滑油）と冷却水とを熱交換してエンジンオイルを冷却するエンジンオイル用熱交換器（潤滑油用熱交換器）である。
【００６１】
ターボチャージャは、エンジン３１の排気ガスの残留エネルギを利用してタービン（図示せず）を回転させ、エンジン３１の吸入空気を過給する過給機である。インタークーラは、ターボチャージャで圧縮されて高温になった過給吸気と冷却水とを熱交換して過給吸気を冷却する吸気冷却器である。
【００６２】
ラジエータ回路１４には、第２リザーブタンク６３が接続されている。第２リザーブタンク６３は、余剰冷却水を貯留する冷却水貯留手段である。
【００６３】
ラジエータ入口側流路６５およびラジエータ出口側流路６６は、コンデンサ回路１３とラジエータ回路１４とを連通する冷却水流路である。
【００６４】
ラジエータ入口側流路６５は、コンデンサ回路１３の循環流路５３のうちヒータコア５１の冷却水出口側かつコンデンサ５２の冷却水入口側の部位と、ラジエータ回路１４のうち冷却水流通機器６２の冷却水出口側かつラジエータポンプ６０の冷却水吸入側の部位とを繋いでいる。
【００６５】
ラジエータ出口側流路６６は、コンデンサ回路１３の循環流路５３のうちコンデンサ５２の冷却水出口側かつヒータポンプ５０の冷却水吸入側の部位と、ラジエータ回路１４のうちヒータ側ラジエータ６１の冷却水出口側かつ冷却水流通機器６２の冷却水入口側の部位とを繋いでいる。
【００６６】
ヒータ側バルブ６７は、コンデンサ回路１３の循環流路５３と水水熱交換器流路５４とラジエータ入口側流路６５との接続部に配置されている。ヒータ側バルブ６７は、４つのポート（第１〜第４ポート）を有する四方弁である。
【００６７】
ヒータ側バルブ６７の第１ポートは、コンデンサ５２の冷却水出口側の流路に接続されている。ヒータ側バルブ６７の第２ポートは、ラジエータポンプ６０の冷却水吸入側の流路に接続されている。換言すれば、ヒータ側バルブ６７の第２ポートは、ヒータコア５１の冷却水入口側の流路に接続されている。
【００６８】
ヒータ側バルブ６７の第３ポートは、水水熱交換器流路５４に接続されている。ヒータ側バルブ６７の第４ポートは、ラジエータ入口側流路６５に接続されている。
【００６９】
ヒータ側バルブ６７は、第１〜第４ポート同士の接続状態を切り替える弁体を有している。ヒータ側バルブ６７は、弁体の切り替え作動によって冷却水の流れを切り替える冷却水流れ切替部（ヒータ側切替手段）である。
【００７０】
クーラコア２２およびヒータコア５１は、車両用空調装置の室内空調ユニット７０のケーシング７１に収容されている。室内空調ユニット７０は、車室内最前部の計器盤（インストルメントパネル）の内側に配置されている。ケーシング７１は、室内空調ユニット７０の外殻を形成している。
【００７１】
ケーシング７１は、室内送風機（図示せず）によって送風された空気が流れる空気通路を形成しており、ある程度の弾性を有し、強度的にも優れた樹脂（例えば、ポリプロピレン）にて成形されている。
【００７２】
クーラコア２２およびヒータコア５１は、この順番で空気が流れるようにケーシング７１内の空気通路に配置されている。
【００７３】
ケーシング７１内の送風空気流れ最上流側には、内外気切替箱（図示せず）が配置されている。内外気切替箱は、車室内空気（以下、内気と言う。）と外気とを切替導入する内外気切替部（内外気切替手段）である。
【００７４】
内外気切替箱は、吸込口モードを内気循環モードと外気導入モードと内外気混入モードとに切り替える。内気循環モードでは、内気を導入して外気を導入しない。外気導入モードでは、外気を導入して内気を導入しない。内外気混入モードでは、内気および外気の両方を所定の割合で導入する。
【００７５】
ケーシング７１内において、クーラコア２２の空気流れ下流側には、クーラコア２２通過後の空気がヒータコア５１を流れるヒータコア通路７１ａと、クーラコア２２通過後の空気がヒータコア５１をバイパスして流れるバイパス通路７１ｂとが並列に形成されている。
【００７６】
ケーシング７１内において、ヒータコア通路７１ａおよびバイパス通路７１ｂの空気流れ下流側には、ヒータコア通路７１ａから流出した温風とバイパス通路７１ｂから流出した冷風とを混合させる混合空間７１ｃが形成されている。
【００７７】
ケーシング７１内において、クーラコア２２の空気流れ下流側であって、ヒータコア通路７１ａおよびバイパス通路７１ｂの入口側には、エアミックスドア７２が配置されている。
【００７８】
エアミックスドア７２は、ヒータコア通路７１ａとバイパス通路７１ｂとの風量割合を連続的に変化させる風量割合調整部（風量割合調整手段）である。ヒータコア通路７１ａを通過する空気とバイパス通路７１ｂを通過する空気との風量割合によって、混合空間７１ｃにて混合された送風空気の温度が変化する。したがって、エアミックスドア７２は、混合空間７１ｃ内の空気温度（車室内へ送風される送風空気の温度）を調整する温度調整部（温度調整手段）である。
【００７９】
エアミックスドア７２は、電動アクチュエータ（図示せず）によって駆動される回転軸と、その共通の回転軸に連結された板状のドア本体部を有して構成される、いわゆる片持ちドアで構成されている。
【００８０】
ケーシング７１の空気流れ最下流部には吹出口７１ｄが形成されている。吹出口７１ｄは、混合空間７１ｃの温度調整された空気を、空調対象空間である車室内空間へ吹き出す。
【００８１】
吹出口７１ｄとしては、フェイス吹出口、フット吹出口およびデフロスタ吹出口が設けられている。フェイス吹出口は、車室内の乗員の上半身に向けて空調風を吹き出す上半身側吹出口である。フット吹出口は、乗員の足元（下半身）に向けて空調風を吹き出す足元側吹出口（下半身側吹出口）である。デフロスタ吹出口は、車両前面窓ガラス内側面に向けて空調風を吹き出す窓ガラス側吹出口である。
【００８２】
フェイス吹出口、フット吹出口およびデフロスタ吹出口の空気流れ上流側には、吹出口モードドア（図示せず）が配置されている。吹出口モードドアは、フェイス吹出口、フット吹出口およびデフロスタ吹出口の開口面積を調整することによって吹出口モードを切り替える吹出口モード切替部（吹出口モード切替手段）である。吹出口モードドアは、電動アクチュエータ（図示せず）によって回転操作される。
【００８３】
吹出口モードとしては、フェイスモード、バイレベルモード、フットモード、フットデフロスタモードおよびデフロスタモードがある。
【００８４】
フェイスモードでは、フェイス吹出口を全開してフェイス吹出口から車室内乗員の上半身に向けて空気を吹き出す。バイレベルモードでは、フェイス吹出口とフット吹出口の両方を開口して車室内乗員の上半身と足元に向けて空気を吹き出す。
【００８５】
フットモードでは、フット吹出口を全開するとともにデフロスタ吹出口を小開度だけ開口して、フット吹出口から主に空気を吹き出す。フットデフロスタモードでは、フット吹出口およびデフロスタ吹出口を同程度開口して、フット吹出口およびデフロスタ吹出口の双方から空気を吹き出す。
【００８６】
デフロスタモードでは、デフロスタ吹出口を全開してデフロスタ吹出口から車両前面窓ガラス内面に空気を吹き出す。
【００８７】
次に、車両用熱管理システム１０の電気制御部を図２に基づいて説明する。制御装置８０は、ＣＰＵ、ＲＯＭおよびＲＡＭ等を含む周知のマイクロコンピュータとその周辺回路から構成され、そのＲＯＭ内に記憶された空調制御プログラムに基づいて各種演算、処理を行い、出力側に接続された各種制御対象機器の作動を制御する制御部（制御手段）である。
【００８８】
制御装置８０によって制御される制御対象機器は、クーラポンプ２０、エンジンポンプ３０、ヒータポンプ５０、ラジエータポンプ６０、クーラ側バルブ４３、ヒータ側バルブ６７、圧縮機２６、室外送風機３３、および室内空調ユニット７０の各種ドア（エアミックスドア７２等）を駆動する電動アクチュエータ等である。
【００８９】
制御装置８０のうち、その出力側に接続された各種制御対象機器の作動を制御する構成（ハードウェアおよびソフトウェア）は、それぞれの制御対象機器の作動を制御する制御部（制御手段）を構成している。
【００９０】
制御装置８０のうちクーラポンプ２０、エンジンポンプ３０、ヒータポンプ５０およびラジエータポンプ６０の作動を制御する構成（ハードウェアおよびソフトウェア）は、ポンプ制御部８０ａ（ポンプ制御手段）である。ポンプ制御部８０ａは、各冷却水流通機器を流れる冷却水の流量を制御する流量制御部（流量制御手段）でもある。
【００９１】
制御装置８０のうちクーラ側バルブ４３およびヒータ側バルブ６７の作動を制御する構成（ハードウェアおよびソフトウェア）は、切替弁制御部８０ｂ（切替弁制御手段）である。切替弁制御部８０ｂは、冷却水の循環状態を切り替える循環切替制御部（循環切替制御手段）でもある。切替弁制御部８０ｂは、各冷却水流通機器を流れる冷却水の流量を調節する流量制御部（流量制御手段）でもある。
【００９２】
冷却水の流量制御は、バルブ内部の通水開口面積を連続的に可変させることによって圧力損失を制御して流量を制御する方式であってもよい。冷却水の流量制御は、通水と遮断を所定の時間内に所定の比率で繰り返し切り替えることによって時間平均的に流量を制御する方式であってもよい。
【００９３】
制御装置８０のうち圧縮機２６の作動を制御する構成（ハードウェアおよびソフトウェア）は、圧縮機制御部８０ｃ（圧縮機制御手段）である。圧縮機制御部８０ｃは、圧縮機２６から吐出される冷媒の流量を制御する冷媒流量制御部（流量制御手段）でもある。
【００９４】
制御装置８０のうち室外送風機３３の作動を制御する構成（ハードウェアおよびソフトウェア）は、室外送風機制御部８０ｄ（外気送風機制御手段）である。室外送風機制御部８０ｄは、ラジエータ１３を流れる外気の流量を制御する外気流量制御部（外気流量制御手段）でもある。
【００９５】
制御装置８０のうち室内空調ユニット７０の各種ドア（エアミックスドア７２等）の作動を制御する構成（ハードウェアおよびソフトウェア）は、空調切替制御部８０ｅ（空調切替制御手段）である。空調切替制御部８０ｅは、室内空調ユニット７０から車室内に吹き出される空気の温度を制御する吹出空気温度制御部（吹出空気温度制御手段）でもある。
【００９６】
各制御部８０ａ、８０ｂ、８０ｃ、８０ｄ、８０ｅは、制御装置８０に対して別体で構成されていてもよい。
【００９７】
制御装置８０の入力側にはセンサ群の検出信号が入力される。センサ群は、内気温度センサ８１、外気温度センサ８２、日射センサ８３、クーラ水温センサ８４、エンジン水温センサ８５、コンデンサ水温センサ８６、ラジエータ水温センサ８７、クーラコア温度センサ８８、ヒータコア温度センサ８９、機器温度センサ９０、冷媒温度センサ９１および冷媒圧力センサ９３等である。
【００９８】
内気温度センサ８１は、内気の温度（車室内温度）を検出する内気温度検出部（内気温度検出手段）である。外気温度センサ８２は、外気の温度（車室外温度）を検出する外気温度検出部（外気温度検出手段）である。日射センサ８３は、車室内の日射量を検出する日射量検出部(日射量検出手段）である。
【００９９】
クーラ水温センサ８４は、クーラ冷却回路１１を流れる冷却水の温度（例えばチラー２１から流出した冷却水の温度）を検出する冷却水温度検出部（熱媒体温度検出手段）である。
【０１００】
エンジン水温センサ８５は、エンジン冷却回路１２を流れる冷却水の温度（例えばエンジンポンプ３０に吸入される冷却水の温度）を検出する冷却水温度検出部（熱媒体温度検出手段）である。
【０１０１】
コンデンサ水温センサ８６は、コンデンサ回路１３を流れる冷却水の温度（例えばコンデンサ５２から流出した冷却水の温度）を検出する冷却水温度検出部（熱媒体温度検出手段）である。
【０１０２】
ラジエータ水温センサ８７は、ラジエータ回路１４を流れる冷却水の温度（例えばヒータ側ラジエータ６１から流出した冷却水の温度）を検出する冷却水温度検出部（熱媒体温度検出手段）である。
【０１０３】
クーラコア温度センサ８８は、クーラコア２２の表面温度を検出する検出手段（クーラコア温度検出手段）である。クーラコア温度センサ８８は、例えば、クーラコア２２の熱交換フィンの温度を検出するフィンサーミスタ８８ａ（図１）や、クーラコア２２を流れる冷却水の温度を検出する水温センサ８８ｂ（図２）等である。
【０１０４】
ヒータコア温度センサ８９は、ヒータコア５１の表面温度を検出する検出手段（ヒータコア温度検出手段）である。ヒータコア温度センサ８９は、例えば、ヒータコア５１の熱交換フィンの温度を検出するフィンサーミスタや、ヒータコア５１を流れる冷却水の温度を検出する水温センサ等である。
【０１０５】
機器温度センサ９０は、冷却水流通機器６２の温度（例えば冷却水流通機器６２から流出した冷却水の温度）を検出する機器温度検出部（機器温度検出手段）である。
【０１０６】
冷媒温度センサ９１は、冷凍サイクル２５の冷媒の温度（例えば圧縮機２６から吐出された冷媒の温度、または圧縮機２６に吸入される冷媒の温度）を検出する冷媒温度検出部（冷媒温度検出手段）である。
【０１０７】
冷媒圧力センサ９３は、冷凍サイクル２５の冷媒の圧力（例えば圧縮機２６から吐出された冷媒の圧力、または圧縮機２６に吸入される冷媒の圧力）を検出する冷媒圧力検出部（冷媒圧力検出手段）である。
【０１０８】
制御装置８０の入力側には、操作パネル９５に設けられた各種空調操作スイッチからの操作信号が入力される。例えば、操作パネル９５は、車室内前部の計器盤付近に配置されている。
【０１０９】
操作パネル９５に設けられた各種空調操作スイッチは、オートスイッチ９５ａ、エアコンスイッチ９５ｂ、デフロスタスイッチ９５ｃおよび車室内温度設定スイッチ９５ｄ等である。
【０１１０】
オートスイッチ９５ａは、空調の自動制御運転を設定する操作部（操作手段）である。エアコンスイッチ９５ｂは、圧縮機２６を手動で作動・停止させる操作部（操作手段）である。デフロスタスイッチ９５ａは、デフロスタモードを手動で設定・解除する操作部（操作手段）である。車室内温度設定スイッチ９５ｄは、車室内目標温度Ｔｓｅｔを設定する操作部（操作手段）である。
【０１１１】
各スイッチは機械的に押し込むことによって電気接点を導通させる方式のプッシュスイッチでもよいし、静電パネル上の所定の領域に触れることによって反応するタッチスクリーン方式でもよい。
【０１１２】
制御装置８０は、車室内吹出空気の目標吹出温度ＴＡＯ、およびクーラコア２２からの吹出空気の目標温度ＴＣＯを算出する。
【０１１３】
目標吹出温度ＴＡＯは、内気温Ｔｒを速やかに乗員の所望の目標温度Ｔｓｅｔに近づけるために決定される値であって、下記数式Ｆ１により算出される。
【０１１４】
ＴＡＯ＝Ｋｓｅｔ×Ｔｓｅｔ−Ｋｒ×Ｔｒ−Ｋａｍ×Ｔａｍ−Ｋｓ×Ｔｓ＋Ｃ  …Ｆ１
この数式において、Ｔｓｅｔは車室内温度設定スイッチ９５ｄによって設定された車室内の目標温度であり、Ｔｒは内気温度センサ８１によって検出された内気温度であり、Ｔａｍは外気温度センサ８２によって検出された外気温度であり、Ｔｓは日射センサ８３によって検出された日射量である。Ｋｓｅｔ、Ｋｒ、Ｋａｍ、Ｋｓは制御ゲインであり、Ｃは補正用の定数である。
【０１１５】
クーラコア目標吹出温度ＴＣＯは、目標吹出温度ＴＡＯ等に基づいて算出される。具体的には、目標吹出温度ＴＡＯの低下に伴って、クーラコア目標吹出温度ＴＣＯが低下するように算出される。さらに、クーラコア２２の着霜を抑制可能に決定された基準着霜防止温度（例えば、１℃）以上となるようにクーラコア目標吹出温度ＴＣＯが算出される。
【０１１６】
エンジン制御装置９９は、ＣＰＵ、ＲＯＭおよびＲＡＭ等を含む周知のマイクロコンピュータとその周辺回路から構成され、そのＲＯＭ内に記憶されたエンジン制御プログラムに基づいて各種演算、処理を行い、エンジン３１の作動を制御するエンジン制御手段である。
【０１１７】
エンジン制御装置９９の出力側には、エンジン３１を構成する各種エンジン構成機器（図示せず）が接続されている。各種エンジン構成機器としては、具体的には、エンジン３１を始動させるスタータ、エンジン３１に燃料を供給する燃料噴射弁（インジェクタ）の駆動回路等がある。
【０１１８】
また、エンジン制御装置９９の入力側には、エンジン制御用の各種センサ群（図示せず）が接続されている。エンジン制御用の各種センサ群としては、具体的には、アクセル開度を検出するアクセル開度センサ、エンジン回転数を検出するエンジン回転数センサ、車速を検出する車速センサ等がある。
【０１１９】
制御装置８０およびエンジン制御装置９９は、電気的に接続されて通信可能に構成されている。これにより、一方の制御装置に入力された検出信号あるいは操作信号に基づいて、他方の制御装置が出力側に接続された各種機器の作動を制御することもできる。例えば、制御装置８０がエンジン制御装置９９へ要求信号を出力することによって、エンジン３１の作動を要求することが可能となっている。
【０１２０】
エンジン制御装置９９では、制御装置８０からのエンジン３１の作動を要求する要求信号（作動要求信号）を受信すると、エンジン３１の作動の要否を判定し、その判定結果に応じてエンジン３１の作動を制御する。
【０１２１】
制御装置８０のうちエンジン制御装置９９へ要求信号を出力する構成（ハードウェアおよびソフトウェア）は、要求出力部８０ｆ（要求出力手段）である。要求出力部８０ｆは、制御装置８０に対して別体で構成されていてもよい。
【０１２２】
次に、上記構成における作動を説明する。制御装置８０がその出力側に接続された各種制御対象機器の作動を制御することによって、種々の作動モードに切り替えられる。
【０１２３】
種々の作動モードは、例えば冷房モード、除湿暖房モード、外気吸熱式ヒートポンプ暖房モード、外気吸熱式ヒートポンプ暖房モード（エンジン排熱アシスト）、外気利用除湿モード、エンジン吸熱式ヒートポンプ暖房モードおよびヒートポンプリヒート除湿モードである。
【０１２４】
（１）冷房モードおよび除湿暖房モード
冷房モードは、冷凍サイクル２５を利用して車室内を冷房する空調モードである。除湿暖房モードは、冷凍サイクル２５を利用して車室内を除湿しながら、エンジン３１の排熱を利用して暖房する空調モードである。
【０１２５】
冷房モードおよび除湿暖房モードでは、図３に示すように、クーラ側バルブ４３がクーラコア２２の冷却水出口側の流路とチラー２１の冷却水入口側の流路とを連通させ、エンジンラジエータ流路４１およびエンジン吸熱流路４２を閉じる。また、ヒータ側バルブ６７は、水水熱交換器流路５４とヒータコア５１の冷却水入口側の流路とを連通させるとともに、コンデンサ５２の冷却水出口側の流路とラジエータ入口側流路６５とを連通させる。
【０１２６】
冷房モードおよび除湿暖房モードは、エンジン冷却回路１２の冷却水の温度が、暖房で直接的に使える高温になっている場合（例えば６０℃以上）に選択される。したがって、冷房モード、除湿暖房モードでは、サーモスタット３７は、ラジエータバイパス流路３５を閉じてエンジンラジエータ３２側の流路を開ける。
【０１２７】
これにより、クーラ冷却回路１１およびエンジン冷却回路１２では、互いに独立して冷却水が循環する。
【０１２８】
クーラ冷却回路１１では、冷却水がチラー２１で冷却された後、クーラコア２２を流れるので、室内空調ユニット７０のケーシング７１内を流れる空気（車室内へ送風される空気）がクーラコア２２で冷却される。
【０１２９】
また、エンジン冷却回路１２では、エンジン３１で加熱された冷却水が水水熱交換器３８を流れるので、水水熱交換器３８において水水熱交換器流路５４を流れる冷却水が加熱される。
【０１３０】
水水熱交換器流路５４で加熱された冷却水はヒータコア５１を流れるので、室内空調ユニット７０のケーシング７１内を流れる空気（車室内へ送風される空気）がヒータコア５１で加熱される。
【０１３１】
また、コンデンサ５２で加熱された冷却水および冷却水流通機器６２で加熱された冷却水がヒータ側ラジエータ６１を流れるので、ヒータ側ラジエータ６１においてコンデンサ５２の排熱および冷却水流通機器６２の排熱が外気に放熱される。
【０１３２】
圧縮機２６の回転数を調整して、冷凍サイクル２５を循環する冷媒の流量を調整することによって、クーラコア２２の吹出温度を目標温度に近づける。
【０１３３】
クーラポンプ２０の回転数を調整して、クーラコア２２を流れる冷却水の流量を調整することによって、クーラコア２２の吹出温度を目標温度に近づけてもよい。
【０１３４】
室内空調ユニット７０のケーシング７１内においてエアミックスドア７２の開度を調整することによって、室内空調ユニット７０から車室内へ吹き出される空調風の温度を目標温度に近づける。
【０１３５】
室内空調ユニット７０から車室内へ吹き出される空調風の温度は、クーラコア２２の吹出温度、ヒータコア５１の吹出温度およびエアミックスドア７２の開度に基づいて推定可能である。
【０１３６】
エンジンポンプ３０の回転数を調整して、エンジン冷却回路１２を流れる冷却水の流量を調整することによって、室内空調ユニット７０から車室内へ吹き出される空調風の温度を目標温度に近づけてもよい。
【０１３７】
ヒータポンプ５０の回転数を調整して、水水熱交換器流路５４およびヒータコア５１を流れる冷却水の流量を調整することによって、室内空調ユニット７０から車室内へ吹き出される空調風の温度を目標温度に近づけてもよい。
【０１３８】
（２）外気吸熱式ヒートポンプ暖房モード
外気吸熱式ヒートポンプ暖房モードは、外気から吸熱し、その熱を利用して車室内を暖房する空調モードである。
【０１３９】
外気吸熱式ヒートポンプ暖房モードでは、図４に示すように、クーラ側バルブ４３がクーラコア２２の冷却水出口側の流路およびエンジンラジエータ流路４１をチラー２１の冷却水入口側の流路に連通させ、エンジン吸熱流路４２を閉じる。また、ヒータ側バルブ６７は、コンデンサ５２の冷却水出口側の流路とヒータコア５１の冷却水入口側の流路とを連通させ、水水熱交換器流路５４およびラジエータ入口側流路６５を閉じる。
【０１４０】
外気吸熱式ヒートポンプ暖房モードは、エンジン冷却回路１２の冷却水の温度が、暖房で直接的に使えない低温になっている場合（例えば６０℃未満）に選択される。したがって、外気吸熱式ヒートポンプ暖房モードでは、サーモスタット３７は、ラジエータバイパス流路３５を開けてエンジンラジエータ３２側の流路を閉じる。
【０１４１】
これにより、チラー２１で冷却された冷却水がエンジンラジエータ３２を流れるので、エンジンラジエータ３２において冷却水が外気から吸熱する。また、チラー２１で冷却された冷却水がクーラコア２２を流れるので、室内空調ユニット７０のケーシング７１内を流れる空気（車室内へ送風される空気）がクーラコア２２で冷却除湿される。
【０１４２】
この際、外気温が氷点下（０℃以下）の場合は冷却水の温度も氷点下になるため、クーラコア２２のフロストを抑制するためにクーラコア２２の流量を調整する。それ以外の場合は、クーラコア２２の冷却水温度が高くなりすぎないように、エンジンラジエータ３２の流量を調整して吸熱量を制御する。
【０１４３】
除湿が不要である場合、クーラ側バルブ４３は、クーラコア２２への冷却水の流通を遮断する。
【０１４４】
コンデンサ回路１３およびラジエータ回路１４では、互いに独立して冷却水が循環する。コンデンサ回路１３では、コンデンサ５２で加熱された冷却水がヒータコア５１を流れるので、室内空調ユニット７０のケーシング７１内を流れる空気（車室内へ送風される空気）がヒータコア５１で加熱される。
【０１４５】
ラジエータ回路１４では、冷却水流通機器６２で加熱された冷却水がヒータ側ラジエータ６１を流れるので、ヒータ側ラジエータ６１において冷却水流通機器６２の排熱が外気に放熱される。
【０１４６】
すなわち、エンジンラジエータ３２で外気から吸熱しながらヒータ側ラジエータ６１で冷却水流通機器６２の排熱を外気に放熱できる。そのため、冷凍サイクル２５のヒートポンプ運転によって暖房しながら冷却水流通機器６２を外気温度と同程度に冷却できるので、冷却水流通機器６２を適切な温度に冷却できる。
【０１４７】
ヒータ側ラジエータ６１は、エンジンラジエータ３２よりも外気流れ方向上流側に配置されている。そのため、ヒータ側ラジエータ６１において外気に放熱された冷却水流通機器６２の排熱が、エンジンラジエータ３２において冷却水に吸熱される。
【０１４８】
この際、エンジンラジエータ３２の空気温度が上昇するため、吸熱温度が上昇してチラー２１での冷媒圧力を高くしても吸熱量を確保できるため、ＣＯＰが向上する。また、エンジンラジエータ３２の冷却水温度も上昇するため、着霜しにくくなり、ＣＯＰの低下を抑制できるので、暖房効率を向上できる。
【０１４９】
クーラポンプ２０の回転数およびクーラ側バルブ４３の開度を調整して、クーラコア２２を流れる冷却水の流量およびエンジンラジエータ３２を流れる冷却水の流量を調整することによって、クーラコア２２の吹出温度を目標温度に近づける。
【０１５０】
室内空調ユニット７０のケーシング７１内においてエアミックスドア７２の開度を調整することによって、室内空調ユニット７０から車室内へ吹き出される空調風の温度を目標温度に近づける。
【０１５１】
エンジンポンプ３０の回転数を調整して、エンジン冷却回路１２を流れる冷却水の流量を調整することによって、室内空調ユニット７０から車室内へ吹き出される空調風の温度を目標温度に近づけてもよい。
【０１５２】
ヒータポンプ５０の回転数を調整して、水水熱交換器流路５４およびヒータコア５１を流れる冷却水の流量を調整することによって、室内空調ユニット７０から車室内へ吹き出される空調風の温度を目標温度に近づけてもよい。
【０１５３】
圧縮機２６の回転数を調整して、冷凍サイクル２５を循環する冷媒の流量を調整することによって、室内空調ユニット７０から車室内へ吹き出される空調風の温度を目標温度に近づけてもよい。
【０１５４】
（３）外気吸熱式ヒートポンプ暖房モード（エンジン排熱アシスト）
外気吸熱式ヒートポンプ暖房モード（エンジン排熱アシスト）は、外気からの吸熱とエンジン３１の排熱とを利用して車室内を暖房する空調モードである。
【０１５５】
外気吸熱式ヒートポンプ暖房モード（エンジン排熱アシスト）では、図５に示すように、クーラ側バルブ４３がクーラコア２２の冷却水出口側の流路およびエンジンラジエータ流路４１をチラー２１の冷却水入口側の流路と連通させ、エンジン吸熱流路４２を閉じる。また、ヒータ側バルブ６７は、コンデンサ５２の冷却水出口側の流路および水水熱交換器流路５４をヒータコア５１の冷却水入口側の流路と連通させ、ラジエータ入口側流路６５を閉じる。
【０１５６】
外気吸熱式ヒートポンプ暖房モード（エンジン排熱アシスト）は、エンジン冷却回路１２の冷却水の温度が、暖房で直接的に使えない低温になっている場合（例えば６０℃未満）に選択される。したがって、外気吸熱式ヒートポンプ暖房モード（エンジン排熱アシスト）では、サーモスタット３７は、ラジエータバイパス流路３５を開けてエンジンラジエータ３２側の流路を閉じる。
【０１５７】
これにより、チラー２１で冷却された冷却水がエンジンラジエータ３２を流れるので、エンジンラジエータ３２において冷却水が外気から吸熱する。また、チラー２１で冷却された冷却水がクーラコア２２を流れるので、室内空調ユニット７０のケーシング７１内を流れる空気（車室内へ送風される空気）がクーラコア２２で冷却除湿される。
【０１５８】
この際、外気温が水の氷点（０℃）以下である場合はクーラコア２２のフロスト抑制のためにクーラコア２２の流量を調整する。それ以外の場合は、クーラコア２２水温が高くなりすぎないように、エンジンラジエータ３２の流量を調整して吸熱量を制御する。
【０１５９】
除湿が不要である場合、クーラ側バルブ４３は、クーラコア２２への冷却水の流通を遮断する。
【０１６０】
また、エンジン冷却回路１２では、エンジン３１で加熱された冷却水が水水熱交換器３８を流れる。外気吸熱式ヒートポンプ暖房モード（エンジン排熱アシスト）では、エンジン冷却回路１２において水水熱交換器３８に流入する冷却水の温度は、コンデンサ回路１３において水水熱交換器３８に流入する冷却水の温度よりも高くなっている。そのため、水水熱交換器３８において水水熱交換器流路５４を流れる冷却水が加熱される。
【０１６１】
水水熱交換器３８での熱交換量の調整は、エンジンポンプ３０による冷却水流量調整、ヒータポンプ５０による冷却水流量調整、ヒータ側バルブ６７による冷却水流量調整で実施する。
【０１６２】
コンデンサ回路１３では、水水熱交換器流路５４で加熱された冷却水がヒータコア５１を流れるので、室内空調ユニット７０のケーシング７１内を流れる空気（車室内へ送風される空気）がヒータコア５１で加熱される。
【０１６３】
さらに、コンデンサ回路１３では、コンデンサ５２で加熱された冷却水がヒータコア５１を流れるので、室内空調ユニット７０のケーシング７１内を流れる空気（車室内へ送風される空気）がヒータコア５１で加熱される。
【０１６４】
エンジン３１から冷却水が奪う熱量が、エンジン冷却回路１２の冷却水温度を所定温度範囲内に維持できる分だけになるように冷却水の流量等を制御する。これにより、エンジン冷却回路１２の冷却水温度の低下による燃費悪化を抑止できるとともに、エンジン３１の稼働率を上げずに暖房できるので、暖房使用時の燃費を向上できる。
【０１６５】
ラジエータ回路１４では、冷却水流通機器６２で加熱された冷却水がヒータ側ラジエータ６１を流れるので、ヒータ側ラジエータ６１において冷却水流通機器６２の排熱が外気に放熱される。
【０１６６】
すなわち、エンジンラジエータ３２で外気から吸熱しながらヒータ側ラジエータ６１で冷却水流通機器６２の排熱を外気に放熱できる。そのため、冷凍サイクル２５のヒートポンプ運転によって暖房しながら冷却水流通機器６２を外気温度と同程度に冷却できるので、冷却水流通機器６２を適切な温度に冷却できる。
【０１６７】
ヒータ側ラジエータ６１は、エンジンラジエータ３２よりも外気流れ方向上流側に配置されている。そのため、ヒータ側ラジエータ６１において外気に放熱された冷却水流通機器６２の排熱が、エンジンラジエータ３２において冷却水に吸熱される。
【０１６８】
この際、エンジンラジエータ３２の空気温度が上昇するため、吸熱温度が上昇してチラー２１での冷媒圧力を高くしても吸熱量を確保できるため、ＣＯＰが向上する。また、エンジンラジエータ３２の冷却水温度も上昇するため、着霜しにくくなり、ＣＯＰの低下を抑制できるので、暖房効率を向上できる。
【０１６９】
クーラポンプ２０の回転数およびクーラ側バルブ４３の開度を調整して、クーラコア２２を流れる冷却水の流量およびエンジンラジエータ３２を流れる冷却水の流量を調整することによって、クーラコア２２の吹出温度を目標温度に近づける。
【０１７０】
室内空調ユニット７０のケーシング７１内においてエアミックスドア７２の開度を調整することによって、室内空調ユニット７０から車室内へ吹き出される空調風の温度を目標温度に近づける。
【０１７１】
エンジンポンプ３０の回転数を調整して、エンジン冷却回路１２を流れる冷却水の流量を調整することによって、室内空調ユニット７０から車室内へ吹き出される空調風の温度を目標温度に近づけてもよい。
【０１７２】
ヒータポンプ５０の回転数を調整して、水水熱交換器流路５４およびヒータコア５１を流れる冷却水の流量を調整することによって、室内空調ユニット７０から車室内へ吹き出される空調風の温度を目標温度に近づけてもよい。
【０１７３】
圧縮機２６の回転数を調整して、冷凍サイクル２５を循環する冷媒の流量を調整することによって、室内空調ユニット７０から車室内へ吹き出される空調風の温度を目標温度に近づけてもよい。
【０１７４】
（４）外気利用除湿モード
外気利用除湿モードは、低温の外気を利用することにより、冷凍サイクル２５を使わずに車室内を除湿する空調モードである。
【０１７５】
外気利用除湿モードでは、図５に示す外気吸熱式ヒートポンプ暖房モード（エンジン排熱アシスト）の切替状態において冷凍サイクル２５の圧縮機２６を停止させる。なお、外気利用除湿モードでは、クーラ側バルブ４３がクーラ冷却回路１１の冷却水流路とエンジンラジエータ流路４１との連通開度を全開にする。
【０１７６】
外気利用除湿モードは、エンジン冷却回路１２の冷却水の温度が、クーラコア２２の目標吹出温度よりも低くなっている場合に選択される。したがって、外気利用除湿モードでは、サーモスタット３７は、ラジエータバイパス流路３５を開けてエンジンラジエータ３２側の流路を閉じる。
【０１７７】
これにより、エンジンラジエータ３２で低温外気によって冷却された冷却水がクーラコア２２を流れるので、室内空調ユニット７０のケーシング７１内を流れる空気（車室内へ送風される空気）がクーラコア２２で冷却除湿される。
【０１７８】
この際、外気温が水の氷点（０℃）以下である場合はクーラコア２２のフロスト抑制のためにクーラコア２２の流量を調整する。
【０１７９】
除湿が不要である場合、クーラポンプ２０は、クーラコア２２への冷却水の流通を停止する。
【０１８０】
また、エンジン冷却回路１２では、エンジン３１で加熱された冷却水が水水熱交換器３８を流れる。外気利用除湿モードは、エンジン冷却回路１２において水水熱交換器３８に流入する冷却水の温度が、コンデンサ回路１３において水水熱交換器３８に流入する冷却水の温度よりも高くなっている場合に選択される。そのため、水水熱交換器３８において水水熱交換器流路５４を流れる冷却水が加熱される。
【０１８１】
水水熱交換器３８での熱交換量の調整は、エンジンポンプ３０による冷却水流量調整、ヒータポンプ５０による冷却水流量調整、ヒータ側バルブ６７による冷却水流量調整で実施する。
【０１８２】
コンデンサ回路１３では、水水熱交換器流路５４で加熱された冷却水がヒータコア５１を流れるので、室内空調ユニット７０のケーシング７１内を流れる空気（車室内へ送風される空気）がヒータコア５１で加熱される。
【０１８３】
エンジン３１から冷却水が奪う熱量が、エンジン冷却回路１２の冷却水温度を所定温度範囲内に維持できる分だけになるように冷却水の流量等を制御する。これにより、エンジン冷却回路１２の冷却水温度の低下による燃費悪化を抑止できるとともに、エンジン３１の稼働率を上げずに暖房できるので、暖房使用時の燃費を向上できる。
【０１８４】
ラジエータ回路１４では、冷却水流通機器６２で加熱された冷却水がヒータ側ラジエータ６１を流れるので、ヒータ側ラジエータ６１において冷却水流通機器６２の排熱が外気に放熱される。
【０１８５】
クーラポンプ２０の回転数を調整して、クーラコア２２およびエンジンラジエータ３２を流れる冷却水の流量を調整することによって、クーラコア２２の吹出温度を目標温度に近づける。
【０１８６】
室内空調ユニット７０のケーシング７１内においてエアミックスドア７２の開度を調整することによって、室内空調ユニット７０から車室内へ吹き出される空調風の温度を目標温度に近づける。
【０１８７】
エンジンポンプ３０の回転数を調整して、エンジン冷却回路１２を流れる冷却水の流量を調整することによって、室内空調ユニット７０から車室内へ吹き出される空調風の温度を目標温度に近づけてもよい。
【０１８８】
ヒータポンプ５０の回転数を調整して、水水熱交換器流路５４およびヒータコア５１を流れる冷却水の流量を調整することによって、室内空調ユニット７０から車室内へ吹き出される空調風の温度を目標温度に近づけてもよい。
【０１８９】
（５）エンジン吸熱式ヒートポンプ暖房モード
エンジン吸熱式ヒートポンプ暖房モードは、エンジン３１の排熱を吸熱し、その熱を利用して車室内を暖房する空調モードである。
【０１９０】
エンジン吸熱式ヒートポンプ暖房モードでは、図６に示すように、クーラ側バルブ４３がエンジン吸熱流路４２とチラー２１の冷却水入口側の流路とを連通させ、クーラコア２２の冷却水出口側の流路およびエンジンラジエータ流路４１を閉じる。また、ヒータ側バルブ６７は、コンデンサ５２の冷却水出口側の流路とヒータコア５１の冷却水入口側の流路とを連通させ、水水熱交換器流路５４およびラジエータ入口側流路６５を閉じる。
【０１９１】
エンジン吸熱式ヒートポンプ暖房モードは、エンジン冷却回路１２の冷却水の温度が、暖房で直接的に使えない低温になっている場合（例えば６０℃未満）に選択される。したがって、エンジン吸熱式ヒートポンプ暖房モードでは、サーモスタット３７は、ラジエータバイパス流路３５を開けてエンジンラジエータ３２側の流路を閉じる。
【０１９２】
これにより、エンジン３１で加熱された冷却水がチラー２１を流れるので、チラー２１において冷却水がエンジン３１の排熱を吸熱する。
【０１９３】
コンデンサ回路１３では、コンデンサ５２で加熱された冷却水がヒータコア５１を流れるので、室内空調ユニット７０のケーシング７１内を流れる空気（車室内へ送風される空気）がヒータコア５１で加熱される。
【０１９４】
エンジン３１から冷却水が奪う熱量が、エンジン冷却回路１２の冷却水温度を所定温度範囲内に維持できる分だけになるように冷却水の流量等を制御することによって、水温低下による燃費悪化を抑止できるとともに、エンジン稼働率を上げずに暖房できるので暖房使用時の燃費を向上できる。
【０１９５】
エンジン冷却回路１２の冷却水温度が低くなっていき、吸熱量が減少して必要な暖房性能が発揮できなくなった場合には、外気吸熱モードへ切り替えることによって、エンジン冷却回路１２の冷却水温度の低下を抑制して燃費悪化を抑制する。
【０１９６】
ラジエータ回路１４では、冷却水流通機器６２で加熱された冷却水がヒータ側ラジエータ６１を流れるので、ヒータ側ラジエータ６１において冷却水流通機器６２の排熱が外気に放熱される。
【０１９７】
ヒータ側ラジエータ６１は、エンジンラジエータ３２よりも外気流れ方向上流側に配置されている。そのため、ヒータ側ラジエータ６１において外気に放熱された冷却水流通機器６２の排熱によってエンジン３１周囲の雰囲気温度が上昇し、エンジン３１表面からの放熱量が減り、保温性能が向上する。
【０１９８】
室内空調ユニット７０のケーシング７１内においてエアミックスドア７２の開度を調整することによって、室内空調ユニット７０から車室内へ吹き出される空調風の温度を目標温度に近づける。
【０１９９】
ヒータポンプ５０の回転数を調整して、水水熱交換器流路５４およびヒータコア５１を流れる冷却水の流量を調整することによって、室内空調ユニット７０から車室内へ吹き出される空調風の温度を目標温度に近づけてもよい。
【０２００】
圧縮機２６の回転数を調整して、冷凍サイクル２５を循環する冷媒の流量を調整することによって、室内空調ユニット７０から車室内へ吹き出される空調風の温度を目標温度に近づけてもよい。
【０２０１】
エンジン吸熱式ヒートポンプ暖房モードでは、クーラコア２２による空気の冷却除湿ができない。そこで、除湿要求がある場合には、上述の外気吸熱式ヒートポンプ暖房モードに切り替えることによって、クーラコア２２による空気の冷却除湿を行う。
【０２０２】
（６）ヒートポンプリヒート除湿暖房モード
ヒートポンプリヒート除湿暖房モードは、冷凍サイクル２５を利用して除湿および暖房を行う空調モードである。
【０２０３】
ヒートポンプリヒート除湿暖房モードでは、図７に示すように、クーラ側バルブ４３がクーラコア２２の冷却水出口側の流路とチラー２１の冷却水入口側の流路とを連通させ、エンジンラジエータ流路４１およびエンジン吸熱流路４２を閉じる。また、ヒータ側バルブ６７は、コンデンサ５２の冷却水出口側の流路および水水熱交換器流路５４をヒータコア５１の冷却水入口側の流路に連通させ、ラジエータ入口側流路６５を閉じる。
【０２０４】
これにより、チラー２１で冷却された冷却水がクーラコア２２を流れるので、室内空調ユニット７０のケーシング７１内を流れる空気（車室内へ送風される空気）がクーラコア２２で冷却除湿される。
【０２０５】
この際、外気温が氷点下（０℃以下）の場合はクーラ冷却回路１１の冷却水温度も氷点下になるためクーラコア２２のフロスト抑制のためにクーラポンプ２０によってクーラコア２２の流量を調整する。
【０２０６】
コンデンサ回路１３では、コンデンサ５２で加熱された冷却水がヒータコア５１を流れるので、室内空調ユニット７０のケーシング７１内を流れる空気（車室内へ送風される空気）がヒータコア５１で加熱される。
【０２０７】
さらに、エンジン冷却回路１２では、エンジン３１で加熱された冷却水が水水熱交換器３８を流れ、コンデンサ回路１３では、水水熱交換器流路５４で加熱された冷却水がヒータコア５１を流れるので、室内空調ユニット７０のケーシング７１内を流れる空気（車室内へ送風される空気）がヒータコア５１で加熱される。
【０２０８】
さらに、コンデンサ回路１３では、コンデンサ５２で加熱された冷却水がヒータコア５１を流れるので、室内空調ユニット７０のケーシング７１内を流れる空気（車室内へ送風される空気）がヒータコア５１で加熱される。
【０２０９】
また、エンジン冷却回路１２では、エンジン３１で加熱された冷却水が水水熱交換器３８を流れるので、水水熱交換器３８で加熱された冷却水もヒータコア５１を流れる。
【０２１０】
（７）エンジン機器加熱モード
エンジン機器加熱モードは、コンデンサ５２で加熱された冷却水によってエンジン３１を暖機する作動モードである。
【０２１１】
エンジン機器加熱モードでは、コンデンサ回路１３を、図７に示すヒートポンプリヒート除湿暖房モードの切替状態にする。
【０２１２】
これにより、コンデンサ回路１３では、コンデンサ５２で加熱された冷却水が水水熱交換器流路５４を流れる。
【０２１３】
エンジン機器加熱モードは、エンジン冷却回路１２において水水熱交換器３８に流入する冷却水の温度が、コンデンサ回路１３において水水熱交換器３８に流入する冷却水の温度よりも低くなっている場合に選択される。そのため、エンジン冷却回路１２では、水水熱交換器３８を流れる冷却水が加熱され、水水熱交換器流路５４で加熱された冷却水がエンジン３１を流れるので、エンジン３１を加熱（暖機）できる。
【０２１４】
図８は、上述の各モードにおけるクーラ側バルブ４３のバルブポジションを示している。図８中、クーラコア流路は、クーラコア２２の冷却水出口からクーラ側バルブ４３に至る流路のことであり、チラー流路は、クーラ側バルブ４３からチラー２１の冷却水入口に至る流路のことである。
【０２１５】
図９は、上述の各モードにおけるヒータ側バルブ６７のバルブポジションを示している。図９中、コンデンサ流路は、コンデンサ５２の冷却水出口からヒータ側バルブ６７に至る流路のことであり、ヒータコア流路は、ヒータ側バルブ６７からヒータコア５１の冷却水入口に至る流路のことである。
【０２１６】
本実施形態では、独立モードと連通モードとを切り替えるクーラ側バルブ４３（切替手段）と、クーラ側バルブ４３の作動を制御する制御装置８０（切替弁制御部８０ｂ）とを備える。
【０２１７】
独立モードでは、クーラ冷却回路１１およびエンジン冷却回路１２に冷却水が互いに独立して循環する。連通モードでは、チラー２１とエンジンラジエータ３２との間で冷却水が流れるようにクーラ冷却回路１１とエンジン冷却回路１２とが連通する。制御装置８０（切替弁制御部８０ｂ）は、エンジン冷却回路１２の冷却水の温度が所定温度（第１熱媒体温度）未満の場合、連通モードに切り替わるようにクーラ側バルブ４３の作動を制御する。
【０２１８】
これによると、エンジン冷却回路１２の冷却水の温度が低い場合、連通モードに切り替えることによって、チラー２１で冷却された冷却水をエンジン冷却回路１２のエンジンラジエータ３２へ流すので、エンジンラジエータ３２で外気から吸熱して車室内を暖房できる（例えば外気吸熱ヒートポンプ暖房モード）。そのため、エンジンラジエータ３２を有効に活用して、車室内の暖房性能を向上できる。
【０２１９】
例えば、制御装置８０（切替弁制御部８０ｂ）は、ヒータコア５１への空気の送風量が少ない場合、ヒータコア５１への空気の送風が停止されている場合、またはヒータコア５１が冷凍サイクル２５の高圧側冷媒の熱を利用しない場合においては、エンジン冷却回路１２の冷却水の温度が所定温度（第１熱媒体温度）未満の場合であっても独立モードになるようにクーラ側バルブ４３の作動を制御する。
【０２２０】
これによると、車室内を冷房する可能性がある場合に独立モードにすることができるので、車室内を冷房しているときにクーラ冷却回路１１に外気から熱が流入することを抑制できる。
【０２２１】
クーラ側バルブ４３は、連通モードにおいて、チラー２１とクーラコア２２との間でも熱媒体が流れるようにクーラ冷却回路１１とエンジン冷却回路１２とが連通するクーラコア連通モードを実施可能である。
【０２２２】
これによると、クーラコア連通モードではエンジンラジエータ３２で外気から吸熱するとともにクーラコア２２で車室内へ送風される空気から吸熱することができるので、クーラコア２２で除湿を行いつつ十分な暖房能力でヒートポンプ暖房を行うことができる（例えば外気吸熱式ヒートポンプ暖房モード）。
【０２２３】
すなわち、クーラコア２２で回収できる熱量（送風空気の温度低下分の顕熱量＋除湿時の凝縮潜熱分）がヒートポンプ暖房の吸熱源として不十分であっても、エンジンラジエータ３２で外気から吸熱することによって吸熱源を補うことができる。
【０２２４】
そのため、除湿を行う際に十分な暖房ができずに乗員に不快感を与えたり窓ガラスの曇りが発生することで視認性が悪化したりすることを抑制できる。
【０２２５】
例えば、制御装置８０（切替弁制御部８０ｂ）は、連通モード時に車室内を除湿暖房する場合において、クーラコア２２からの吹出空気の温度とクーラコア吹出目標温度ＴＣＯとの温度差が所定値未満かつヒータコア５１からの吹出空気の温度が加熱目標温度ＴＡＯよりも所定温度以上低い場合、または暖房性能が所定性能を満たしていない場合、クーラコア連通モードになるようにクーラ側バルブ４３の作動を制御する。
【０２２６】
これによると、クーラコア２２で回収できる熱量がヒートポンプ暖房の吸熱源として不十分である場合、クーラコア連通モードにすることができるので、エンジンラジエータ３２で外気から吸熱することによって吸熱源を補って十分な暖房能力を確保できる。
【０２２７】
すなわち、圧縮機２６の効率を下げて熱量を増やしたり、電気ヒータ等の補助熱源を使ったりすることなく、不足する暖房能力を補うことができるので、消費エネルギーを増加させることなく十分な暖房能力を確保できる。
【０２２８】
例えば、制御装置８０（切替弁制御部８０ｂ）は、クーラコア連通モード時において、クーラコア２２からの吹出空気の温度に関連する温度が第１吹出目標温度ＴＣＯに近づき、かつヒータコア５１からの吹出空気の温度に関連する温度が第２目標吹出温度ＴＡＯに近づくように、クーラ側バルブ４３の作動を制御してエンジンラジエータ３２の冷却水流量を調整する、または圧縮機２６等の作動を制御して冷凍サイクル２５の冷媒流量を調整する。
【０２２９】
これにより、クーラコア２２からの吹出空気の温度およびヒータコア５１からの吹出空気の温度の両方を適切に制御できるので、除湿暖房を適切に行うことができる。
【０２３０】
クーラ側バルブ４３は、クーラコア２２とエンジンラジエータ３２との間で冷却水が流れるようにクーラ冷却回路１１とエンジン冷却回路１２とを連通させることが可能になっている。
【０２３１】
これによると、外気冷気を利用してクーラコア２２で空気を冷却・除湿できるので、冷房・除湿の省動力化を図ることができる（例えば、外気吸熱式ヒートポンプ暖房モード、外気吸熱式ヒートポンプ暖房モード（エンジン排熱アシスト））。
【０２３２】
本実施形態では、制御装置８０（切替弁制御部８０ｂ）は、連通モード時にエンジン冷却回路１２の冷却水の温度が所定温度（第２熱媒体温度）を上回ると、独立モードに切り替わるようにクーラ側バルブ４３の作動を制御する。
【０２３３】
これによると、エンジン冷却回路１２の冷却水の温度が高くなった場合、チラー２１に高温の冷却水が流れて低圧側冷媒が高温になってしまうことを抑制でき、ひいては冷凍サイクル２５の作動に支障が生じることを抑制できる。
【０２３４】
また、エンジン冷却回路１２の冷却水の温度が高くなった場合、エンジン３１の排熱を利用してヒータコア５１で空気を加熱できるので、暖房の省エネルギー化を図ることができる（例えば除湿暖房モード）。
【０２３５】
本実施形態では、連通流路４０とリザーブタンク３９とを備える。連通流路４０は、独立モードおよび連通モードのいずれにおいてもクーラ冷却回路１１とエンジン冷却回路１２とを連通させる。リザーブタンク３９は、エンジン冷却回路１２またはクーラ冷却回路１１に配置され、冷却水を貯留する。
【０２３６】
これによると、クーラ冷却回路１１とエンジン冷却回路１２とが連通流路４０によって連通しているので、エンジン冷却回路１２に配置されたリザーブタンク３９によって、エンジン冷却回路１２およびクーラ冷却回路１１の両方の圧力調整を行うことができる。そのため、クーラ冷却回路１１に別個のリザーブタンクを配置する必要が無いので構成を簡素化できる。
【０２３７】
エンジン冷却回路１２の冷却水温度は通常８０〜１１０℃の範囲にあることが多く、冷却水が膨張して回路圧力が上昇する。一方、クーラ冷却回路１１の冷却水温度は通常０℃付近であり、冷却水が収縮する。
【０２３８】
そのため、クーラ冷却回路１１とエンジン冷却回路１２とが連通流路４０によって連通していることによってエンジン冷却回路１２の冷却水の体積増加量が減り、ひいてはエンジン冷却回路１２の圧力上昇幅が減る。その結果、エンジンラジエータ３２やエンジン機器類の耐圧設計を簡素化できたり、機器寿命を向上できたりする。
【０２３９】
本実施形態では、連通流路４０は、クーラ冷却回路１１のうちクーラポンプ２０の冷却水吐出側かつクーラコア２２の冷却水入口側の部位と、エンジン冷却回路１２のうちエンジンポンプ３０の冷却水吐出側かつエンジンラジエータ３２の冷却水入口側の部位とを連通させている。
【０２４０】
これによると、クーラ冷却回路１１とエンジン冷却回路１２とが、冷却水圧力の高い部位同士で連通しているので、クーラ冷却回路１１とエンジン冷却回路１２との圧力差を低く抑えることができる。そのため、冷却回路１２に配置されたリザーブタンク３９によって、エンジン冷却回路１２およびクーラ冷却回路１１の両方の圧力調整を良好に行うことができる。
【０２４１】
本実施形態では、クーラ冷却回路１１とエンジン冷却回路１２とを連通させるエンジンラジエータ流路４１を備えている。クーラ側バルブ４３は、エンジン冷却回路１２の冷却水がエンジンラジエータ流路４１を流れる状態と流れない状態とを切り替えることよって、独立モードと連通モードとを切り替える。
【０２４２】
これにより、簡素な構成によって、独立モードと連通モードとを切り替えることができる。
【０２４３】
本実施形態では、制御装置８０（切替弁制御部８０ｂ、圧縮機制御部８０ｃ）は、エンジン冷却回路１２の冷却水の温度が所定温度（第３熱媒体温度）未満であり且つ外気の温度が所定温度（第１外気温度）未満である場合、クーラコア２２とエンジンラジエータ３２との間で冷却水が流れるようにクーラ側バルブ４３の作動を制御するとともに圧縮機２６を停止させる。
【０２４４】
これによると、外気の温度が低い場合、外気の冷熱を利用してクーラコア２２で空気を冷却除湿できる（例えば外気利用除湿モード）。そのため、圧縮機２６の消費動力を低減できる。
【０２４５】
この作動状態においては、空調の吸込口モードが内気循環モードであってもクーラコア２２で空気を冷却除湿できるので、車室内に汚れた外気や花粉が侵入することを抑制でき、ひいては乗員の快適性を向上できる。
【０２４６】
本実施形態では、エンジン冷却回路１２の冷却水がエンジンラジエータ３２をバイパスして流れるラジエータバイパス流路３５と、ラジエータバイパス流路３５とクーラ側バルブ４３とを繋ぐエンジン吸熱流路４２とを備える。そして、クーラ側バルブ４３は、エンジン冷却回路１２の冷却水がラジエータバイパス流路３５を流れる状態と流れない状態とを切り替える。
【０２４７】
これによると、エンジン冷却回路１２の冷却水がラジエータバイパス流路３５を流れる状態に切り替えることによって、チラー２１とエンジン３１との間で冷却水が流れるようにすることができる。
【０２４８】
そのため、エンジン３１の排熱をチラー２１で吸熱するヒートポンプ運転を行うことができるので、エンジン３１の排熱を利用してヒータコア５１で空気を加熱できる（例えばエンジン吸熱式ヒートポンプ暖房モード）。
【０２４９】
本実施形態では、制御装置８０（切替弁制御部８０ｂ）は、外気の温度が所定温度（第２外気温度）未満である場合、エンジン冷却回路１２の冷却水がラジエータバイパス流路３５を流れる状態に切り替わるようにクーラ側バルブ４３の作動を制御する。
【０２５０】
これによると、エンジン冷却回路１２の冷却水の温度が低い場合であっても、エンジン３１の排熱を利用してヒータコア５１で空気を加熱できるので、暖房の省エネルギー化を図ることができる（例えばエンジン吸熱式ヒートポンプ暖房モード）。
【０２５１】
この作動状態では、ヒータコア５１で加熱された空気の温度を、エンジン冷却回路１２の冷却水の温度よりも高くすることができる。このとき、エンジン冷却回路１２の冷却水の温度を低くすることによって、エンジン３１から冷却水への伝熱量を増加させることができるので、車室内の暖房性能を向上できる。
【０２５２】
本実施形態では、制御装置８０（要求出力手段８０ｆ）は、連通モード時に圧縮機２６の冷媒吐出量が所定量以上もしくは圧縮機２６の回転数が所定値以上であり、且つ車室内への吹出空気の温度が所定空気温度未満である場合、または連通モード時にエンジンラジエータ３２もしくはチラー２１を流れる冷却水の温度が所定冷却水温度（第４熱媒体温度）未満である場合において、エンジン冷却回路１２の冷却水の温度が所定温度（第５熱媒体温度）未満である場合、エンジン３１の排熱量を増加させる要求、エンジン３１の稼働率を増加させる要求、エンジン冷却回路１２の冷却水の温度を上昇させる要求、またはエンジン３１の効率を下げる要求をエンジン制御装置９９に出力する。
【０２５３】
これによると、エンジンラジエータ３２に着霜が生じており且つエンジン冷却回路１２の冷却水の温度が低い場合、エンジン冷却回路１２の冷却水の温度を上昇させるので、車室内の暖房またはエンジンラジエータ３２の除霜に必要な熱源を確保でき、ひいては車室内の暖房性能を維持できる。
【０２５４】
なお、エンジンラジエータ３２に着霜が生じているか否かは、エンジンラジエータ３２における冷却水の温度、チラー２１における冷却水の温度、チラー２１における冷媒の温度、または車室室内への吹出空気温度と圧縮機２６の仕事量との相関関係からの乖離量などに基づいて判断することができる。
【０２５５】
本実施形態では、コンデンサ５２で加熱されたヒータ側冷却水および水水熱交換器３８で加熱されたヒータ側冷却水のいずれかを選択的にヒータコア５１に流入させるヒータ側バルブ６７を備える。
【０２５６】
制御装置８０（切替弁制御部８０ｂ）は、連通モードである場合、コンデンサ５２で加熱されたヒータ側冷却水がヒータコア５１に流入するようにヒータ側バルブ６７の作動を制御する。
【０２５７】
制御装置８０（切替弁制御部８０ｂ）は、連通モード時にエンジン冷却回路１２の冷却水の温度が所定温度（第５熱媒体温度）以上になった場合、水水熱交換器３８で加熱されたヒータ側冷却水がヒータコア５１に流入するようにヒータ側バルブ６７の作動を制御する。
【０２５８】
これによると、高圧側冷媒と空気とを直接熱交換させることなくヒータ側冷却水を介して熱交換させるので、車室内に冷媒が洩れる不具合が発生することを抑制できる。そのため、冷媒の選択の自由度を高めることができる。
【０２５９】
エンジン冷却回路１２の冷却水の温度が低い場合、冷凍サイクル２５のヒートポンプ運転によって車室内を暖房するので、乗員の快適性を確保できる（例えば外気吸熱式ヒートポンプ暖房モード、エンジン吸熱式ヒートポンプ暖房モード）。
【０２６０】
エンジン冷却回路１２の冷却水の温度が高い場合、エンジン３１の排熱を利用してヒータコア５１で空気を加熱できるので、暖房の省エネルギー化を図ることができる（例えば除湿暖房モード）。
【０２６１】
本実施形態では、エンジン冷却回路１２の冷却水とヒータ側冷却水とを熱交換させる水水熱交換器３８を備える。
【０２６２】
これによると、クーラ冷却回路１１およびエンジン冷却回路１２を流れる冷却水と、コンデンサ回路１３を流れるヒータ側冷却水とが熱流入手段３８で混流しないので、冷却水とヒータ側冷却水とを互いに物性の異なる流体にすることができる。そのため、冷却水およびヒータ側冷却水の選択の自由度を高めることができる。
【０２６３】
また、冷却水とヒータ側冷却水とが混流しないので、一方の回路内の異物が他方の回路に悪影響を与えることを防止できる。
【０２６４】
本実施形態では、ヒータ側バルブ６７は、コンデンサ回路１３およびラジエータ回路１４にヒータ側冷却水が互いに独立して循環する状態と、コンデンサ５２とヒータ側ラジエータ６１との間でヒータ側冷却水が流れるようにコンデンサ回路１３とラジエータ回路１４とが連通する状態とを切り替える。
【０２６５】
これによると、コンデンサ回路１３とラジエータ回路１４とが連通している場合、コンデンサ５２で高圧側冷媒によって加熱されたヒータ側冷却水を、ヒータ側ラジエータ６１で外気によって冷却することができるので、車室内を冷房できる。
【０２６６】
（第２実施形態）
上記実施形態では、エンジン冷却回路１２の冷却水とコンデンサ回路１３の冷却水とが水水熱交換器３８を介して熱交換するようになっているが、本実施形態では、図１０に示すように、エンジン冷却回路１２とコンデンサ回路１３とが直接的に接続可能になっている。
【０２６７】
本実施形態では、エンジン冷却回路１２の循環流路３４にヒータコア流路１００が接続されている。ヒータコア流路１００は、ヒータコア５１が配置された冷却水流路である。
【０２６８】
ヒータコア流路１００の一端は、循環流路３４のうちエンジン３１の冷却水出口側の部位に接続されている。ヒータコア流路１００の一端は、循環流路３４のうちエンジンポンプ３０の冷却水吸入側の部位に接続されている。
【０２６９】
本実施形態では、コンデンサ回路１３の循環流路５３には、ヒータポンプ５０、コンデンサ５２およびヒータ側ラジエータ６１が、この順番で冷却水が循環するように配置されている。
【０２７０】
コンデンサ回路１３の循環流路５３は、ヒータ側バルブ１０１を介してエンジン冷却回路１２のヒータコア流路１００に接続されている。ヒータ側バルブ１０１は、４つのポート（第１〜第４ポート）を有する四方弁である。
【０２７１】
ヒータ側バルブ１０１の第１ポートは、ヒータコア５１の冷却水出口側の流路に接続されている。ヒータ側バルブ１０１の第２ポートは、エンジンポンプ３０の冷却水吸入側の流路に接続されている。換言すれば、ヒータ側バルブ１０１の第２ポートは、エンジン３１の冷却水入口側の流路に接続されている。
【０２７２】
ヒータ側バルブ１０１の第３ポートは、ヒータ側ラジエータ６１の冷却水出口側の流路に接続されている。ヒータ側バルブ１０１の第４ポートは、ヒータポンプ５０の冷却水吸入側の流路に接続されている。換言すれば、ヒータ側バルブ１０１の第４ポートは、ヒータコア５１の冷却水入口側の流路に接続されている。
【０２７３】
ヒータ側バルブ１０１は、第１〜第４ポート同士の接続状態を切り替える弁体を有している。ヒータ側バルブ１０１は、弁体の切り替え作動によって冷却水の流れを切り替える冷却水流れ切替部である。
【０２７４】
ヒータ側連通流路１０２は、コンデンサ回路１３の循環流路５３のうちコンデンサ５２の冷却水出口側かつヒータ側ラジエータ６１の冷却水入口側の部位と、エンジン冷却回路１２のヒータコア流路１００のうちヒータコア５１の冷却水入口側の部位とを連通する冷却水流路である。
【０２７５】
ラジエータ連携流路１０３は、エンジン冷却回路１２の循環流路３４のうちエンジン３１の冷却水出口側かつエンジンラジエータ３２の冷却水入口側の部位と、コンデンサ回路１３の循環流路５３のうちコンデンサ５２の冷却水出口側かつヒータ側ラジエータ６１の冷却水入口側の部位とを連通する冷却水流路である。
【０２７６】
ラジエータ連携流路１０３には、ラジエータ連携バルブ１０４が配置されている。ラジエータ連携バルブ１０４は、ラジエータ連携流路１０３を開閉する流路開閉手段である。ラジエータ連携バルブ１０４がラジエータ連携流路１０３を開けると、ヒータ側ラジエータ６１のエアを容易に抜くことができる。
【０２７７】
ヒータ側バルブ１０１がヒータ側ラジエータ６１の冷却水出口側とエンジンポンプ３０の冷却水吸入側とを連通させるとともにラジエータ連携バルブ１０４がラジエータ連携流路１０３を開けると、エンジン３１から流出した冷却水がエンジンラジエータ３２およびヒータ側ラジエータ６１を並列に流れて循環する。そのため、エンジン３１から流出した冷却水がエンジンラジエータ３２のみならずヒータ側ラジエータ６１においても冷却されるので、エンジン３１の冷却性能を向上でき、ひいてはエンジン３１の出力を向上できる。
【０２７８】
クーラ冷却回路１１およびエンジン冷却回路１２には、３つの冷却水流通機器６２Ａ、６２Ｂ、６２Ｃが配置されている。
【０２７９】
図１０の例では、１つの冷却水流通機器６２Ａは、クーラ冷却回路１１の循環流路から分岐した冷却水流路に配置されている。他の２つの冷却水流通機器６２Ｂ、６２Ｃは、エンジン冷却回路１２のヒータコア流路１００から分岐した冷却水流路に配置されている。これらの冷却水流路の分岐部にはバルブ１０５、１０６が配置されている。バルブ１０５、１０６の開度を調整することによって、冷却水流通機器６２Ａ、６２Ｂ、６２Ｃの冷却水流量を制御できる。
【０２８０】
すなわち、図１０の例では、冷却水流通機器６２Ａ、６２Ｂ、６２Ｃは、クーラ冷却回路１１およびエンジン冷却回路１２のいずれかに並列的に配置されている。冷却水流通機器６２Ａ、６２Ｂ、６２Ｃは、クーラ冷却回路１１およびエンジン冷却回路１２のいずれかに直列的に配置されていてもよい。
【０２８１】
エンジン冷却回路１２の循環流路３４のうちエンジンラジエータ３２の冷却水入口側には、エンジンラジエータ流調弁１０７が配置されている。エンジンラジエータ流調弁１０７は、エンジンラジエータ３２における冷却水の流量を調整するエンジンラジエータ流量調整部（エンジンラジエータ流量調整手段）である。
【０２８２】
（１）冷房モードおよび除湿暖房モード
冷房モードおよび除湿暖房モードでは、図１１に示すように、クーラ側バルブ４３がクーラコア２２の冷却水出口側の流路とチラー２１の冷却水入口側の流路とを連通させ、エンジンラジエータ流路４１およびエンジン吸熱流路４２を閉じる。また、ヒータ側バルブ１０１は、ヒータ側ラジエータ６１の冷却水出口側の流路とコンデンサ５２の冷却水入口側の流路とを連通させるとともに、ヒータコア５１の冷却水出口側の流路とエンジン３１の冷却水入口側の流路とを連通させる。
【０２８３】
これにより、クーラ冷却回路１１、エンジン冷却回路１２およびコンデンサ回路１３では、互いに独立して冷却水が循環する。
【０２８４】
クーラ冷却回路１１では、冷却水がチラー２１で冷却された後、クーラコア２２を流れるので、室内空調ユニット７０のケーシング７１内を流れる空気（車室内へ送風される空気）がクーラコア２２で冷却される。
【０２８５】
また、エンジン冷却回路１２では、エンジン３１で加熱された冷却水がヒータコア５１を流れるので、室内空調ユニット７０のケーシング７１内を流れる空気（車室内へ送風される空気）がヒータコア５１で加熱される。
【０２８６】
また、コンデンサ５２で加熱された冷却水がヒータ側ラジエータ６１を流れるので、ヒータ側ラジエータ６１においてコンデンサ５２の排熱および冷却水流通機器６２の排熱が外気に放熱される。
【０２８７】
（２）外気吸熱式ヒートポンプ暖房モード
外気吸熱式ヒートポンプ暖房モードでは、図１２に示すように、クーラ側バルブ４３がエンジンラジエータ流路４１とチラー２１の冷却水入口側の流路とを連通させ、クーラコア２２の冷却水出口側の流路およびエンジン吸熱流路４２を閉じる。また、ヒータ側バルブ１０１は、ヒータコア５１の冷却水出口側の流路とコンデンサ５２の冷却水入口側の流路とを連通させ、ヒータ側ラジエータ６１の冷却水出口側の流路およびエンジン３１の冷却水入口側の流路を閉じる。
【０２８８】
外気吸熱式ヒートポンプ暖房モードは、エンジン冷却回路１２の冷却水の温度が、暖房で直接的に使えない低温になっている場合（例えば６０℃未満）に選択される。したがって、外気吸熱式ヒートポンプ暖房モードでは、サーモスタット３７は、ラジエータバイパス流路３５を開けてエンジンラジエータ３２側の流路を閉じる。
【０２８９】
これにより、チラー２１で冷却された冷却水がエンジンラジエータ３２を流れるので、エンジンラジエータ３２において冷却水が外気から吸熱する。
【０２９０】
除湿が不要である場合、クーラ側バルブ４３は、クーラコア２２への冷却水の流通を遮断する。
【０２９１】
除湿が必要である場合、クーラ側バルブ４３は、クーラコア２２へ冷却水を流通させる。これにより、チラー２１で冷却された冷却水がクーラコア２２を流れるので、室内空調ユニット７０のケーシング７１内を流れる空気（車室内へ送風される空気）がクーラコア２２で冷却除湿される。
【０２９２】
この際、外気温が水の氷点（０℃）以下である場合はクーラコア２２のフロスト抑制のためにクーラコア２２の流量を調整する。それ以外の場合は、クーラコア２２水温が高くなりすぎないように、エンジンラジエータ３２の流量を調整して吸熱量を制御する。
【０２９３】
また、コンデンサ５２で加熱された冷却水がヒータコア５１を流れるので、室内空調ユニット７０のケーシング７１内を流れる空気（車室内へ送風される空気）がヒータコア５１で加熱される。
【０２９４】
（３）外気吸熱式ヒートポンプ暖房モード（エンジン排熱アシスト）
外気吸熱式ヒートポンプ暖房モード（エンジン排熱アシスト）では、図１３に示すように、クーラ側バルブ４３がエンジンラジエータ流路４１とチラー２１の冷却水入口側の流路とを連通させ、クーラコア２２の冷却水出口側の流路およびエンジン吸熱流路４２を閉じる。また、ヒータ側バルブ１０１は、ヒータコア５１の冷却水出口側の流路をコンデンサ５２の冷却水入口側およびエンジン３１の冷却水入口側の流路と連通させ、ヒータ側ラジエータ６１の冷却水出口側の流路を閉じる。
【０２９５】
外気吸熱式ヒートポンプ暖房モード（エンジン排熱アシスト）は、エンジン冷却回路１２の冷却水の温度が、暖房で直接的に使えない低温になっている場合（例えば６０℃未満）に選択される。したがって、外気吸熱式ヒートポンプ暖房モード（エンジン排熱アシスト）では、サーモスタット３７は、ラジエータバイパス流路３５を開けてエンジンラジエータ３２側の流路を閉じる。
【０２９６】
これにより、チラー２１で冷却された冷却水がエンジンラジエータ３２を流れるので、エンジンラジエータ３２において冷却水が外気から吸熱する。
【０２９７】
除湿が不要である場合、クーラ側バルブ４３は、クーラコア２２への冷却水の流通を遮断する。
【０２９８】
除湿が必要である場合、クーラ側バルブ４３は、クーラコア２２へ冷却水を流通させる。これにより、チラー２１で冷却された冷却水がクーラコア２２を流れるので、室内空調ユニット７０のケーシング７１内を流れる空気（車室内へ送風される空気）がクーラコア２２で冷却除湿される。
【０２９９】
この際、外気温が水の氷点（０℃）以下である場合はクーラコア２２のフロスト抑制のためにクーラコア２２の流量を調整する。それ以外の場合は、クーラコア２２水温が高くなりすぎないように、エンジンラジエータ３２の流量を調整して吸熱量を制御する。
【０３００】
また、エンジン３１で加熱された冷却水およびコンデンサ５２で加熱された冷却水がヒータコア５１を流れるので、室内空調ユニット７０のケーシング７１内を流れる空気（車室内へ送風される空気）がヒータコア５１で加熱される。
【０３０１】
エンジン３１から冷却水が奪う熱量が、エンジン冷却回路１２の冷却水温度を所定温度範囲内に維持できる分だけになるように冷却水の流量等を制御することによって、水温低下による燃費悪化を抑止できるとともに、エンジン稼働率を上げずに暖房できるので暖房使用時の燃費を向上できる。
【０３０２】
（４）エンジン吸熱式ヒートポンプ暖房モード
エンジン吸熱式ヒートポンプ暖房モードでは、図１４に示すように、クーラ側バルブ４３がエンジン吸熱流路４２とチラー２１の冷却水入口側の流路とを連通させ、クーラコア２２の冷却水出口側の流路およびエンジンラジエータ流路４１を閉じる。また、ヒータ側バルブ６７は、ヒータコア５１の冷却水出口側の流路とコンデンサ５２の冷却水入口側の流路とを連通させ、エンジン３１の冷却水入口側の流路およびヒータ側ラジエータ６１の冷却水出口側の流路を閉じる。
【０３０３】
エンジン吸熱式ヒートポンプ暖房モードは、エンジン冷却回路１２の冷却水の温度が、暖房で直接的に使えない低温になっている場合（例えば６０℃未満）に選択される。したがって、エンジン吸熱式ヒートポンプ暖房モードでは、サーモスタット３７は、ラジエータバイパス流路３５を開けてエンジンラジエータ３２側の流路を閉じる。
【０３０４】
これにより、エンジン３１で加熱された冷却水がチラー２１を流れるので、チラー２１において冷却水がエンジン３１の排熱を吸熱する。
【０３０５】
また、コンデンサ５２で加熱された冷却水がヒータコア５１を流れるので、室内空調ユニット７０のケーシング７１内を流れる空気（車室内へ送風される空気）がヒータコア５１で加熱される。
【０３０６】
（第３実施形態）
上記実施形態では、冷凍サイクル２５の高圧側冷媒を凝縮させる凝縮器として、高圧側冷媒と冷却水とを熱交換させるコンデンサ５２を備えているが、本実施形態では、図１５に示すように、冷凍サイクル２５の凝縮器として、室内コンデンサ１１０および室外コンデンサ１１１を備えている。
【０３０７】
室内コンデンサ１１０および室外コンデンサ１１１は、冷凍サイクル２５において、この順番に冷媒が流れるように直列に配置されている。
【０３０８】
室内コンデンサ１１０は、圧縮機２６から吐出された高圧側冷媒と車室内へ送風される空気とを熱交換させることによって高圧側冷媒を凝縮させるとともに車室内へ送風される空気を加熱する室内熱交換器である。室内コンデンサ１１０は、ケーシング７１内の空気通路において、ヒータコア５１よりも空気流れ方向下流側に配置されている。
。
【０３０９】
室外コンデンサ１１１は、圧縮機２６から吐出された高圧側冷媒と外気とを熱交換させることによって高圧側冷媒を凝縮させる室外熱交換器である。室外コンデンサ１１１は、車両のエンジンルームに配置されている。室外コンデンサ１１１には、室外送風機３３によって外気が送風される。室外コンデンサ１１１は、エンジンラジエータ３２よりも外気流れ方向上流側に配置されている。
【０３１０】
冷凍サイクル２５は、冷媒バイパス流路１１２および三方弁１１３を備えている。冷媒バイパス流路１１２は、室内コンデンサ１１０から流出した冷媒が室外コンデンサ１１１をバイパスして膨張弁２８へと流れる冷媒流路である。三方弁１１３は、室外コンデンサ１１１を流れる冷媒と冷媒バイパス流路１１２を流れる冷媒との流量割合を調整する冷媒流量割合調整部（冷媒流量割合調整手段）である。
【０３１１】
冷凍サイクル２５はアキュムレータ１１４を備えている。アキュムレータ１１４は、チラー２１から流出した気液２相冷媒を気相冷媒と液相冷媒とに分離して、分離された気相冷媒を圧縮機２６側に流出させる気液分離器である。アキュムレータ１１４は、冷凍サイクル２５を流れる冷媒の流量を調整する冷媒流量調整部（冷媒流量調整手段）である。
【０３１２】
本実施形態では、冷凍サイクル２５の高圧側冷媒と車室内へ送風される空気とを熱交換させて車室内へ送風される空気を加熱する室内コンデンサ１１０を備える。
【０３１３】
これにより、簡素な構成によって、冷凍サイクル２５の高圧側冷媒の熱を利用して車室内へ送風される空気を加熱できる。
【０３１４】
本実施形態では、高圧側冷媒と外気とを熱交換させる室外コンデンサ１１１と、室内コンデンサ１１０を流れる高圧側冷媒と室外コンデンサ１１１を流れる高圧側冷媒との流量割合を調整する三方弁１１３とを備える。
【０３１５】
これによると、高圧側冷媒が室外コンデンサ１１１を流れている場合、高圧側冷媒を室外コンデンサ１１１で外気によって冷却することができるので、車室内を冷房できる。
【０３１６】
（第４実施形態）
上記実施形態では、四方弁で構成されたクーラ側バルブ４３を備えているが、本実施形態では、図１６に示すように、五方弁で構成されたクーラ側バルブ１２０を備えている。      
【０３１７】
クーラ側バルブ１２０は、上記実施形態におけるサーモスタット３７の機能を兼ね備えている。
【０３１８】
クーラ側バルブ１２０の５つのポートのうち第１ポートおよび第２ポートは、クーラ冷却回路１１の冷却水流路に接続されている。
【０３１９】
クーラ側バルブ１２０の第３ポートおよび第４ポートは、エンジン冷却回路１２の循環流路３４に接続されている。クーラ側バルブ１２０の第５のポートは、ラジエータバイパス流路３５に接続されている。
【０３２０】
具体的には、第１ポートは、クーラコア２２の冷却水出口側に接続されている。第２ポートは、クーラポンプ２０の冷却水吸入側に接続されている。換言すれば、第２ポートは、チラー２１の冷却水入口側に接続されている。
【０３２１】
第３ポートは、エンジンラジエータ３２の冷却水出口側に接続されている。第４ポートは、エンジンポンプ３０の冷却水吸入側に接続されている。換言すれば、第４ポートは、エンジン３１の冷却水入口側に接続されている。第５のポートは、ラジエータバイパス流路３５の冷却水出口側に接続されている。
【０３２２】
クーラ側バルブ１２０は、その５つのポート同士の接続状態を切り替える弁体を有している。クーラ側バルブ１２０は、弁体の切り替え作動によって冷却水の流れを切り替える冷却水流れ切替部（切替手段）である。
【０３２３】
図１６の例では、冷凍サイクル２５は、冷媒温度圧力センサ１２１、電気式膨張弁１２２、冷媒流通機器１２３および圧力調整弁１２４を備えている。
【０３２４】
冷媒温度圧力センサ１２１は、圧縮機２６から吐出された高圧側冷媒の温度および圧力を検出する検出部（検出手段）である。
【０３２５】
電気式膨張弁１２２は、室内コンデンサ１１０および室外コンデンサ１１１から流出した液相冷媒を減圧膨張させる減圧部（減圧手段）である。
【０３２６】
電気式膨張弁１２２は、絞り開度を変更可能に構成された弁体、およびこの弁体の絞り開度を変化させる電動アクチュエータを有する可変絞り機構で構成されている。この電動アクチュエータは、制御装置８０から出力される制御信号によって、その作動が制御される。
【０３２７】
電気式膨張弁１２２へ出力される制御信号については、圧縮機２６から吐出された高圧側冷媒の圧力が目標高圧に近づくように決定される。目標高圧は、圧縮機２６から吐出された高圧側冷媒の温度および外気温Ｔａｍに基づいて、制御装置８０に予め記憶された制御マップを参照して決定される。
【０３２８】
冷媒流通機器１２３は、内部に冷媒が流通することによって冷却される機器である。冷媒流通機器１２３の内部には、電気式膨張弁１２２で減圧された低圧冷媒が流通する。
【０３２９】
冷媒流通機器１２３としては、例えばリヤクーラ、電池熱交換器およびクーラボックス等が挙げられる。
【０３３０】
リヤクーラは、車室内後方部へ向けて吹き出される空気を冷却する空気冷却用熱交換器である。電池熱交換器は、車両に搭載された電池を冷却する電池冷却手段である。クーラボックスは、内部に収納された物品を冷却する冷却庫である。
【０３３１】
電気式膨張弁１２２、冷媒流通機器１２３および圧力調整弁１２４は、冷媒の流れにおいて、膨張弁２８およびチラー２１と並列に配置されている。
【０３３２】
本実施形態では、クーラ側バルブ１２０は、クーラコア２２の冷却水出口側と、チラー２１の冷却水入口側と、エンジンラジエータ３２の冷却水出口側と、エンジン３１の冷却水入口側と、ラジエータバイパス流路３５の冷却水出口側との間で冷却水の流れを切り替える。
【０３３３】
これによると、上記実施形態におけるサーモスタット３７をクーラ側バルブ１２０に一体化できるので、構成を簡素化できる。
【０３３４】
（第５実施形態）
本実施形態では、図１７に示すように、クーラ冷却回路１１に蓄冷器１３０が配置されている。
【０３３５】
蓄冷器１３０は、冷却水が持つ冷熱を蓄える蓄冷部（蓄冷手段）である。例えば、蓄冷器１３０は、冷却水を貯蔵する冷却水タンクを有している。蓄冷器１３０は、潜熱型蓄冷材を有していてもよい。具体的には、潜熱型蓄冷材は、凝固点が０〜１０℃の範囲に調整されたパラフィンや水和物などである。）。蓄冷器１３０は、比熱の大きい物質を有していてもよい。
【０３３６】
図１７の例では、蓄冷器１３０への冷却水の流通・遮断は、クーラ側バルブ４３によって切り替えられる。したがって、図１７の例では、クーラ側バルブ４３は、５つのポートを有する五方弁で構成されている。
【０３３７】
クーラ側バルブ４３とは別体のバルブによって、蓄冷器１３０への冷却水の流通・遮断が切り替えられるようになっていてもよい。
【０３３８】
例えば、通常冷房時に蓄冷器１３０へ冷却水を流通させて蓄冷を行い、急速冷房時（クールダウン時）に蓄冷器１３０への冷却水の流通を遮断して蓄冷を行わないようにする。
【０３３９】
（他の実施形態）
上記実施形態を適宜組み合わせ可能である。上記実施形態を例えば以下のように種々変形可能である。
【０３４０】
（１）上記各実施形態では、クーラ冷却回路１１、エンジン冷却回路１２、コンデンサ回路１３およびラジエータ回路１４を流れる熱媒体として冷却水を用いているが、油などの各種媒体を熱媒体として用いてもよい。
【０３４１】
熱媒体として、ナノ流体を用いてもよい。ナノ流体とは、粒子径がナノメートルオーダーのナノ粒子が混入された流体のことである。ナノ粒子を熱媒体に混入させることで、エチレングリコールを用いた冷却水（いわゆる不凍液）のように凝固点を低下させる作用効果に加えて、次のような作用効果を得ることができる。
【０３４２】
すなわち、特定の温度帯での熱伝導率を向上させる作用効果、熱媒体の熱容量を増加させる作用効果、金属配管の防食効果やゴム配管の劣化を防止する作用効果、および極低温での熱媒体の流動性を高める作用効果を得ることができる。
【０３４３】
このような作用効果は、ナノ粒子の粒子構成、粒子形状、配合比率、付加物質によって様々に変化する。
【０３４４】
これによると、熱伝導率を向上させることができるので、エチレングリコールを用いた冷却水と比較して少ない量の熱媒体であっても同等の冷却効率を得ることが可能になる。
【０３４５】
また、熱媒体の熱容量を増加させることができるので、熱媒体自体の蓄冷熱量（顕熱による蓄冷熱）を増加させることができる。
【０３４６】
蓄冷熱量を増加させることにより、圧縮機２６を作動させない状態であっても、ある程度の時間は蓄冷熱を利用した機器の冷却、加熱の温調が実施できるため、車両用熱管理システム１０の省動力化が可能になる。
【０３４７】
ナノ粒子のアスペクト比は５０以上であるのが好ましい。十分な熱伝導率を得ることができるからである。なお、アスペクト比は、ナノ粒子の縦×横の比率を表す形状指標である。
【０３４８】
ナノ粒子としては、Ａｕ、Ａｇ、ＣｕおよびＣのいずれかを含むものを用いることができる。具体的には、ナノ粒子の構成原子として、Ａｕナノ粒子、Ａｇナノワイヤー、ＣＮＴ（カーボンナノチューブ）、グラフェン、グラファイトコアシェル型ナノ粒子（上記原子を囲むようにカーボンナノチューブ等の構造体があるような粒子体）、およびＡｕナノ粒子含有ＣＮＴなどを用いることができる。
【０３４９】
（２）上記各実施形態の冷凍サイクル２５では、冷媒としてフロン系冷媒を用いているが、冷媒の種類はこれに限定されるものではなく、二酸化炭素等の自然冷媒や炭化水素系冷媒等を用いてもよい。
【０３５０】
また、上記各実施形態の冷凍サイクル２５は、高圧側冷媒圧力が冷媒の臨界圧力を超えない亜臨界冷凍サイクルを構成しているが、高圧側冷媒圧力が冷媒の臨界圧力を超える超臨界冷凍サイクルを構成していてもよい。
【符号の説明】
【０３５１】
１１    クーラ冷却回路
１２    エンジン冷却回路
２０    クーラポンプ
２１    チラー
２２    クーラコア
２５    冷凍サイクル
２６    圧縮機
３０    エンジンポンプ
３２    エンジンラジエータ
４３    クーラ側バルブ（切替手段）
５１    ヒータコア（空気加熱手段）
５２    コンデンサ（空気加熱手段）
８０ｂ  切替制御部（制御手段）
【図１】
0006398764.tif 000002
【図２】
0006398764.tif 000003
【図３】
0006398764.tif 000004
【図４】
0006398764.tif 000005
【図５】
0006398764.tif 000006
【図６】
0006398764.tif 000007
【図７】
0006398764.tif 000008
【図８】
0006398764.tif 000009
【図９】
0006398764.tif 000010
【図１０】
0006398764.tif 000011
【図１１】
0006398764.tif 000012
【図１２】
0006398764.tif 000013
【図１３】
0006398764.tif 000014
【図１４】
0006398764.tif 000015
【図１５】
0006398764.tif 000016
【図１６】
0006398764.tif 000017
【図１７】
0006398764.tif 000018